(57)【特許請求の範囲】
【請求項１】
データ送信装置から複数のデータ受信装置への一方向通信を用いて擬似的な双方向通信を可能とするデータ通信システムに用いられるデータ変換装置であって、
原文書情報のうちの一部又は全ての文字情報には他の原文書情報をリンク先とするリンク先情報が埋め込まれており、少なくとも一の文字情報からなる複数の原文書情報を記憶している原文書情報記憶手段と、
前記原文書情報記憶手段に記憶されている原文書情報に含まれる前記文字情報を順に読み出し、各文字情報から生成されたビットマップ情報である再生画像要素を生成する再生画像要素生成手段と、
前記再生画像要素生成手段で生成された再生画像要素から前記データ受信装置で再生される一画面に相当する再生画像を生成する再生画像生成手段と、
前記文字情報のリンク先である他の原文書情報を示すリンク先情報を他の原文書情報から前記再生画像生成手段で生成される再生画像を示す再生リンク先情報に変換する再生リンク先情報変換手段とを備えることを特徴とするデータ変換装置。
【請求項２】
データ送信装置から複数のデータ受信装置への一方向通信を用いて擬似的な双方向通信を可能とするデータ通信システムに用いられるデータ変換装置であって、
原文書情報のうちの一部又は全ての文字情報には他の原文書情報をリンク先とするリンク先情報が埋め込まれており、少なくとも一の文字情報からなる複数の原文書情報を記憶している原文書情報記憶手段と、
前記原文書情報記憶手段に記憶されている原文書情報に含まれる前記文字情報を順に読み出し、その再生画像要素、すなわち各文字情報から生成されたビットマップ情報を生成する再生画像要素生成手段と、
前記再生画像要素生成手段で生成された再生画像要素から前記データ受信装置で再生される一画面に相当する再生画像を生成する再生画像生成手段と、
他の原文書情報をリンク先とするリンク先情報が埋め込まれた文字情報から生成された前記再生画像中の再生画像要素に該再生画像での再生画像要素の表示位置情報に応じ、カーソル制御のための識別子を付与する識別子付与手段とを備えることを特徴とするデータ変換装置。
【請求項３】
前記識別子は番号であることを特徴とする請求項２記載のデータ変換装置。
【請求項４】
データ送信装置から複数のデータ受信装置への一方向通信を用いて擬似的な双方向通信を可能とするデータ通信システムに用いられるデータ変換装置であって、
原文書情報のうちの一部又は全ての文字情報には他の原文書情報をリンク先とするリンク先情報が埋め込まれており、少なくとも一の文字情報からなる複数の原文書情報を記憶している原文書情報記憶手段と、
前記原文書情報記憶手段に記憶されている原文書情報に含まれる前記文字情報を順に読み出し、その再生画像要素、すなわち各文字情報から生成されたビットマップ情報を生成する再生画像要素生成手段と、
前記再生画像要素生成手段で生成された再生画像要素が同一カテゴリの要素であるとき、再生画像要素を、前記データ受信装置で再生される一画面に相当する再生画像内に収容して生成する再生画像生成手段と、
前記文字情報のリンク先である他の原文書情報を示すリンク先情報を他の原文書情報から前記再生画像生成手段で生成される再生画像を示す再生リンク先情報に変換する再生リンク先情報変換手段とを備えることを特徴とするデータ変換装置。
【請求項５】
原文書情報に含まれる前記文字情報は、ＨＴＭＬ言語で記述され、前記再生画像生成手段は、前記同一カテゴリの要素であるか否かをタグの記述内容から判定することを特徴とする請求項４記載のデータ変換装置。
【請求項６】
請求項５記載のデータ変換装置は更に、
番号が付された付加形状の一覧を予め記憶している付加形状記憶手段と、
他の原文書情報をリンク先とするリンク先情報が埋め込まれた文字情報から生成された前記再生画像中の再生画像要素に該再生画像での再生画像要素の出現順に前記付加形状記憶手段に記憶されている付加形状を順に読み出して前記再生画像上の前記再生画像要素に配置する付加形状配置手段とを備え、
再生リンク先情報変換手段は、前記付加形状に付された番号に対応した再生画像要素のリンク先の他の再生画像を示す再生リンク先情報に変換し、
前記付加形状記憶手段は、
前記再生画像に配置する付加形状の最大数を記憶している最大数記憶部を有し、
前記再生画像生成手段は、更に、
前記一の再生画像に配置されるべき付加形状の数が前記最大数を超えるか否かを判定する最大数判定部と、
前記最大数判定部で超えると判定されたときに、一画面に相当する再生画像に前記最大数以下の付加形状が配置されるように再生画像の分割を指示する再生画像分割指示部と、
前記再生画像分割指示部の指示に従い、再生画像を分割した分割再生画像を生成する分割再生画像生成部とを有することを特徴とするデータ変換装置。
【請求項７】
データ送信装置から一方向通信を受信して、擬似的な双方向通信を可能とするデータ受信装置であって、
原文書情報に含まれる、他の原文書情報をリンク先とするリンク先情報が埋め込まれた複数の文字情報から生成されたビットマップ情報である各再生画像要素からなる再生画像を表示する表示手段と、
前記表示手段に表示された再生画像要素の位置情報を記憶する記憶手段と、
前記表示手段に表示された一の再生画像要素をフォーカスするフォーカス手段と、
リモコンの移動ボタンの操作信号を受信する受信手段と、
受信された操作信号に従い、前記位置情報で示される別の再生画像要素に一の再生画像要素からフォーカスを切り換えるフォーカス制御手段とを備えることを特徴とするデータ受信装置。
【発明の詳細な説明】
【０００１】
【発明の属する技術分野】
本発明は、テレビ放送システムに用いられるデータ変換装置に関し、もっと詳しくは、インターネットのＨＴＭＬ（Ｈｙｐｅｒ  Ｔｅｘｔ  Ｍａｒｋｕｐ  Ｌａｎｇｕａｇｅ）で記述されたドキュメントをテレビ放送用フォーマットに変換するデータ変換装置に関する。
【０００２】
【従来の技術】
近年、インターネットの利用がさかんに行なわれ、ワールドワイドウェブ（ＷＷＷ）上の各サイトに格納されている情報（ホームページ）の有効利用が図られている。このホームページのような対話性を有する画面の表示操作には、キーボードやマウスが用いられており、特にホットスポットと呼ばれるページ間のリンクの選択（次に画面に表示するページの指定）はキーボードのカーソルやマウスカーソルの移動操作で行なわれる。このような対話操作の技術として、例えばネットスケープ社のネットスケープナビゲータがある。
【０００３】
【発明が解決しようとする課題】
ところで、上記従来の技術では、キーボードやマウス等のポインティングデバイスのコンピュータ周辺入力機器の利用を想定しており、テレビ受像機付属のリモートコントローラ等による入力操作は予定されていない。したがって、テレビの画面にワールドワイドウェブのホームページを表示しても、ポインティングの困難なリモコンでの対話操作は無理がある。
【０００４】
本発明は、上記課題に鑑み、テレビ画面にホームページを表示して、容易にテレビ付属のリモコンで対話操作を可能とするマルチメディアデータのデータ変換装置を提供することを目的とする。
【０００５】
【課題を解決するための手段】
上記課題を解決するために、本発明のデ−タ変換装置は、データ送信装置から複数のデータ受信装置への一方向通信を用いて擬似的な双方向通信を可能とするデータ通信システムの前記データ送信装置に用いられるデータ変換装置であって、原文書情報のうちの一部又は全ての文字情報又は画像情報には他の原文書情報をリンク先とするリンク先情報が埋め込まれており、少なくとも一の文字情報と少なくとも一の画像情報とからなる複数の原文書情報を記憶している原文書情報記憶手段と、番号が付された付加形状の一覧を予め記憶している付加形状記憶手段と、前記原文書情報記憶手段に記憶されている原文書情報に含まれる前記文字情報及び画像情報を順に読み出し、その各文字情報又は各画像情報から生成されたビットマップ情報である再生画像要素を生成する再生画像要素生成手段と、前記再生画像要素生成手段で生成された再生画像要素から前記データ受信装置で再生される一画面に相当する再生画像を生成する再生画像生成手段と、他の原文書情報をリンク先とするリンク先情報が埋め込まれた文字情報又は画像情報から生成された前記再生画像中の再生画像要素に該再生画像での再生画像要素の出現順に前記付加形状記憶手段に記憶されている付加形状を順に読み出して前記再生画像上の前記再生画像要素に配置する付加形状配置手段と、前記文字情報又は画像情報のリンク先である他の原文書情報を示すリンク先情報を前記付加形状に付された番号に対応した再生画像要素のリンク先の他の再生画像を示す再生リンク先情報に変換する再生リンク先情報変換手段とを備えることとしている。
【０００６】
【実施の形態】
以下、本発明に係るデータ通信システムのデータ変換装置を実施の形態に基づいて説明する。
（実施の形態１）
図１は、本発明の実施の形態１であるデータ通信システム１００の構成を示すブロック図である。データ通信システム１００は、データ送信装置１１０と複数のデータ受信装置１５０とを備える。
【０００７】
データ送信装置１１０は、情報取得部１１１、送信データ生成部１１２、送信データ保持部１１３、送信データ読み出し部１１４、多重化部１１５および送信部１１６を備える。
データ受信装置１５０は、受信分離部１５１、受信データ保持部１５２、再生部１５３、表示部１５４、制御部１５５および信号受信部１５６を備える。
（データ送信装置１１０の構成の説明）
以下、図１から図１１を用いて、データ送信装置１１０の各構成について説明する。
（情報取得部１１１の構成の説明）
情報取得部１１１は、取得リスト記憶部１２１と、ＷＷＷサーバなどの外部データベースから取得した情報を保持する図示しないバッファとを備える。
【０００８】
取得リスト記憶部１２１には、取得順を示す取得順番号に対応づけて、情報取得部１１１が取得すべき情報の取得先と、取得すべき情報のファイル名とを示す取得リストが予め格納されている。
図２は、取得リスト記憶部１２１に格納されている取得リスト２００の一例を示す説明図である。なお、ファイル名の拡張子『．ｈｔｍｌ』は、そのファイル内にＨＴＭＬ文書が格納されていることを表し、拡張子『．ｇｉｆ』は、そのファイルに、ＧＩＦ形式で圧縮された画像情報が格納されていることを表している。また、拡張子『．ａｕ』は、そのファイル内にＡＵ形式の音声情報が格納されていることを表している。
【０００９】
取得リスト記憶部１２１には、例えば、情報取得部１１１がインターネットに接続されており、ＷＷＷサーバから情報を取得するよう設定されている場合には、図２に示すような取得リスト２００が格納されている。取得リスト２００には、取得順番号２０１に対応づけて、取得先名２０２として、ディレクトリ部までを含んだそのＷＷＷサーバのＵＲＬが格納されている。また、各ＷＷＷサーバが提供するホームページは、各ページが、１つのＨＴＭＬ文書と、そのＨＴＭＬ文書にファイル名が指定された画像情報ファイルおよび音声情報ファイルとで表されるので、取得リスト２００には、取得すべきファイル名２０３として、当該ページを記述したＨＴＭＬ文書のファイル名と画像情報のファイル名と音声情報ファイル名とが、ページ単位に格納されている。
【００１０】
なお、上記取得リスト記憶部１２１において、前記取得先と前記ファイル名とは、必ずしも別々に記述される必要はなく、１つのＵＲＬで表されていてもよい。また、情報取得部１１１の取得先がＷＷＷサーバでない場合には、取得先は当該外部データベースの装置アドレスで、取得すべきファイルはファイルアドレスで表される。
【００１１】
情報取得部１１１は、取得リスト記憶部１２１から、取得先のＵＲＬと取得すべき情報のファイル名とを取得順番号２０１の順に読み出して、そのＵＲＬで示されるＷＷＷサーバにアクセスし、当該ファイル名のファイルを取得する。情報取得部１１１は、取得したファイルにファイル名を付し、前記バッファに格納する。
（取得ファイルの例示説明）
以下、情報取得部１１１が取得するファイルの内容について、図３、図４、図５および図６を用いて具体的に説明する。
【００１２】
図３は、ＷＷＷホームページの第１ページの一例を記述するＨＴＭＬ文書３０１『Ｒｅｐｏｒｔ．ｈｔｍｌ』を示す説明図である。なお、ＨＴＭＬ文書３０１『Ｒｅｐｏｒｔ．ｈｔｍｌ』という表記は、ファイル名が『Ｒｅｐｏｒｔ．ｈｔｍｌ』というファイルに格納されているＨＴＭＬ文書３０１を示すものとする。
また、各ＨＴＭＬ文書において、〈（文字列）〉で表される制御コードは、タグと呼ばれ、原則として、〈（文字列）〉と〈／（文字列）〉との組で用いられる。〈〉内の文字列は、そのタグの制御内容を表している。
【００１３】
行３１１の〈ＨＴＭＬ〉と、行３２３の〈／ＨＴＭＬ〉とは、〈ＨＴＭＬ〉と〈／ＨＴＭＬ〉との間に挟まれている文字列が、１つのＨＴＭＬ文書３０１であることを示している。
行３１２の〈Ｈ１〉と〈／Ｈ１〉とは、これらの間の文字列『天気予報』が、この文書の見出しであることを示している。
【００１４】
行３１３の〈ＣＥＮＴＥＲ〉と、行３１５の〈／ＣＥＮＴＥＲ〉とは、これらの間に挟まれた文字列によって表現される文書の表示要素を、中よせで表示することを示している。
行３１４の〈ＩＭＧ  ＳＲＣ＝"Ｗｅａｔｈｅｒ．ｇｉｆ"〉は、後述の図４に示す画像情報４０１『Ｗｅａｔｈｅｒ．ｇｉｆ』が、この位置に文書の表示要素として含まれていることを表す。なお、タグ〈ＩＭＧ〉の属性である『ＳＲＣ＝』は、画像情報ファイルの指定を示し、その属性値である『"Ｗｅａｔｈｅｒ．ｇｉｆ"』は、指定されたファイルのファイル名を示している。
【００１５】
図４は、ＷＷＷホームページの第１ページに表示される画像の一例である画像情報４０１『Ｗｅａｔｈｅｒ．ｇｉｆ』を示す説明図である。
図４に示すように、画像情報ファイル『Ｗｅａｔｈｅｒ．ｇｉｆ』に格納されている画像情報４０１は、日本の各地の天気を示す概略日本地図の画像を表している。
【００１６】
ＨＴＭＬ文書３０１の行３１６と、行３１７とは、〈Ｐ〉と〈／Ｐ〉とで囲まれた文字列『明日は全国的に春めいた陽気になるでしょう』が、この文書の本文の１つのパラグラフ（段落）であることを表す。
行３１８の〈ＵＬ〉と、行３２２の〈／ＵＬ〉とは、これらの間の文字列によって表現される文書の表示要素を、番号無しの見出しによる箇条書きの形式で表示することを示している。
【００１７】
行３１９と行３２０の〈ＬＩ〉は、これ以降次の〈ＬＩ〉もしくは〈／ＵＬ〉までの文字列が、箇条書きの１つの項目となることを示している。
行３１９の〈Ａ  ＨＲＥＦ＝"Ｔｏｋｙｏ．ｈｔｍｌ"〉東京〈／Ａ〉は、文字列『東京』から、後述の図５に示すＨＴＭＬ文書５０１『Ｔｏｋｙｏ．ｈｔｍｌ』にリンクが張られていることを表している。この文字列『東京』のように、他のファイルへのリンクが張られている文字列または画像は、ホットスポットまたはアンカーポイントと呼ばれる。例えば、ブラウザによってパソコンのモニターに表示されたホットスポット『東京』がユーザのマウス操作などにより選択された場合には、文字列『東京』にリンクされたＨＴＭＬ文書５０１『Ｔｏｋｙｏ．ｈｔｍｌ』がブラウザによって読み込まれ、その表示画像が表示される。また、タグ〈Ａ〉の属性である『ＨＲＥＦ＝』は、タグ〈Ａ〉のリンク先の指定を示し、その属性値である『"Ｔｏｋｙｏ．ｈｔｍｌ"』は、そのリンク先のファイル名を示している。
【００１８】
行３２０の〈Ａ  ＨＲＥＦ＝"Ｏｓａｋａ．ｈｔｍｌ"〉大阪〈／Ａ〉は、文字列『大阪』から、後述の図６に示すＨＴＭＬ文書６０１『Ｏｓａｋａ．ｈｔｍｌ』にリンクが張られていることを表す。行３２０の文字列『大阪』も、行３１９の文字列『東京』と同様のホットスポットであり、当該文字列『大阪』が選択された場合には、文字列『大阪』にリンクされたＨＴＭＬ文書６０１『Ｏｓａｋａ．ｈｔｍｌ』の表示画像がモニターに表示される。
【００１９】
行３２１の〈Ａ  ＨＲＥＦ＝"Ｗｅａｔｈｅｒ．ａｕ"〉音声解説〈／Ａ〉は、文字列『音声解説』から、音声情報『Ｗｅａｔｈｅｒ．ａｕ』にリンクが張られていることを表す。文字列『音声解説』は、ホットスポットであり、当該文字列『音声解説』が選択された場合には、リンクされた音声情報『Ｗｅａｔｈｅｒ．ａｕ』が再生される。
【００２０】
図５は、前記ＷＷＷホームページの第２ページの一例を記述するＨＴＭＬ文書５０１『Ｔｏｋｙｏ．ｈｔｍｌ』を示す説明図である。
ＨＴＭＬ文書５０１に記述されているタグについては、すでに説明しているので、他のページへのリンクに関する説明を除き、説明を省略する。
行５１１の〈Ａ  ＨＲＥＦ＝"Ｒｅｐｏｒｔ．ｈｔｍｌ"〉戻る〈／Ａ〉は、文字列『戻る』から、図３に示したＨＴＭＬ文書３０１『Ｒｅｐｏｒｔ．ｈｔｍｌ』にリンクが張られていることを表す。
【００２１】
図６は、前記ＷＷＷホームページの第３ページの一例を記述するＨＴＭＬ文書６０１『Ｏｓａｋａ．ｈｔｍｌ』を示す説明図である。
ＨＴＭＬ文書６０１に記述されているタグについては、すでに説明しているので、他のページへのリンクに関する説明を除き、説明を省略する。
行６１１の〈Ａ  ＨＲＥＦ＝"Ｒｅｐｏｒｔ．ｈｔｍｌ"〉戻る〈／Ａ〉は、文字列『戻る』から、図３に示すＨＴＭＬ文書３０１『Ｒｅｐｏｒｔ．ｈｔｍｌ』にリンクが張られていることを表す。
【００２２】
なお、上記情報取得部１１１は、取得リスト記憶部１２１に示されている全ファイルを連続的に取得し、取得した全ファイルを前記バッファに格納するとしてもよいし、前記ページ単位にファイルを取得して前記バッファに格納し、後述の送信データ生成部１１２の当該ページに対する処理が完了する都度、次のファイルを取得するとしてもよい。
（送信データ生成部１１２の構成の説明）
送信データ生成部１１２は、データ変換テーブル記憶部１２２と、送信データ生成用の作業領域となる図示しない記憶領域とを備える。データ変換テーブル記憶部１２２は、各ＨＴＭＬタグの制御内容とそれに対応するフラグとを示すタグテーブルと、ＴＶ表示用の文字フォントを用途別に収録したフォントファイルと、ホットスポットを記述するリンク情報のデータ通信システム１００用フォーマットを示したリンク情報テーブルとを記憶している。前記作業領域は、１ファイルのＨＴＭＬ文書を保持するためのファイル記憶領域と、タグ内の〈〉で挟まれた文字列を確保するためのタグ記憶領域と、タグ以外の文字列を確保するための文字列記憶領域と、１フレームに相当する画像データを表す表示画像情報の生成を制御するためのフラグを立てる領域となるフラグ記憶領域とからなる。前記タグ記憶領域に書き込まれた文字列と、前記文字列記憶領域に書き込まれた文字列とは、そのタグ（フラグ）に対応した処理が完了する都度、消去される。前記フラグ記憶領域には、フラグが複数あれば、上位から順にセットされ、下位から順にリセットされる。
【００２３】
図７は、データ変換テーブル記憶部１２２に格納されているリンク情報テーブル７００の一例を示す説明図である。なお、リンク情報テーブル７００に示す『９』は、１０進数一桁の数字を表す。
リンク情報テーブル７００に示されるように、リンク情報は、インデックス情報７０１とホットスポット情報７０２とからなり、インデックス情報７０１とホットスポット情報７０２とは、それぞれ〈〉で挟まれた文字列で表される。
【００２４】
インデックス情報７０１は、インデックス情報であることを示す情報識別部『ＩＮＤＥＸ  ＝』と、４桁の１０進数で表されるファイル識別番号とからなる。ファイル識別番号は、このインデックス情報が属する送信データのファイルの識別番号を示す。
ホットスポット情報７０２は、ホットスポット情報であることを示す情報識別部『ＨＯＴＳＰＯＴ  』と、対応する表示画像情報によって表される表示画像中のカーソル表示位置を示すＸ−Ｙ座標『Ｘ＝９９９、Ｙ＝９９９、』と、当該Ｘ−Ｙ座標に表示されるカーソルに対応付けられている命令『ＧＯ＿ＴＯ＿ＰＡＧＥ』と、４桁の１０進数で表されるその命令の変数値とからなる。前記命令の変数値は、当該カーソルにリンクされている他の送信データのファイルの識別番号を示す。
【００２５】
また、送信データ生成部１１２は、１つのＨＴＭＬ文書に基づいて生成される一組の表示画像情報と音声情報とリンク情報とを１つの送信データファイルとして取り扱う。送信データ生成部１１２は、後述の送信データ保持部１１３内に設けられている表示画像情報記憶部１２３と音声情報記憶部１２４とリンク情報記憶部１２５とのそれぞれに、送信データの１ファイルに格納される表示画像情報と音声情報とリンク情報とを対応づけて格納するための記憶領域を設定する。以下、表示画像情報記憶部１２３内の記憶領域を表示画像情報記憶領域、音声情報記憶部１２４内の記憶領域を音声情報記憶領域、リンク情報記憶部１２５内の記憶領域をリンク情報記憶領域という。
【００２６】
さらに、送信データ生成部１１２は、同一送信データファイルの表示画像情報と音声情報とリンク情報とを格納するために設定した表示画像情報記憶領域と音声情報記憶領域とリンク情報記憶領域とのそれぞれに、送信データ読み出し用の同一識別番号を付す。また、送信データ生成部１１２は、同一送信データファイルに属する音声情報とリンク情報とを、それぞれ１つのファイルとして管理し、それらに同一識別番号を付す。前記識別番号は、例えば、取得したファイルのファイル名２０３に対応する、取得リスト２００内の取得順番号２０１で与えられる。
【００２７】
送信データ生成部１１２は、情報取得部１１１によって取得された未処理のＨＴＭＬ文書ファイルを、取得リスト２００の取得順番号２０１に従って情報取得部１１１内のバッファから取り出し、前記作業領域のファイル記憶領域に書き込むとともに、リンク情報テーブル７００のインデックス情報７０１のフォーマットに従って、インデックス情報を生成する。さらに、生成したインデックス情報を、送信データ保持部１１３のリンク情報記憶領域の先頭に格納する。
【００２８】
さらに、送信データ生成部１１２は、ＨＴＭＬ文書の先頭から順に、タグを読み込んでは読み込んだタグとタグテーブルとを照合し、そのタグの制御内容を解釈する。制御内容の解釈は、タグ開始文字『〈』に続く文字列を１文字ずつタグ終了文字『〉』が現れるまで作業領域のタグ記憶領域に書き込んでいき、原則として、タグ終了文字が現れた時点で作業領域に書き込まれている文字列、すなわち、『〈』と『〉』とに挟まれた文字列を、タグテーブルと照合することにより解釈を行う。
【００２９】
送信データ生成部１１２は、読み込んだタグが〈（『Ａ』、『ＩＭＧ』または『／で始まる文字列』以外の文字列）〉であれば、先ず、前記解釈結果を表すフラグを作業領域のフラグ記憶領域に立て、そのフラグに対応づけて、当該タグ〈〉とそれに対応するタグ〈／〉とに挟まれた文字列を、作業領域の文字列記憶領域に確保する。相対応するタグに挟まれた文字列を、文字列記憶領域に確保する方法は、タグ内の文字列と同様である。次いで、確保した文字列をフォントファイル中の文字フォントを用いて文字の画像に変換し、当該文字画像がフラグに従って配置された表示画像情報を生成する。次いで、生成した表示画像情報を、送信データ保持部１１３に設定しておいた表示画像情報記憶領域に追加する。また、前記タグ〈〉に続くものが文字列でなく、別のタグ〈（別の文字列）〉である場合には、前のタグ〈〉に対応するフラグだけをフラグ記憶領域に立てておき、次のタグ〈（別の文字列）〉に応じた処理を行う。
【００３０】
送信データ生成部１１２は、読み込んだタグが〈ＩＭＧ〉であれば、その属性である『ＳＲＣ＝』によって指定される『"ファイル名"』の画像情報ファイルを情報取得部１１１のバッファから取り出して、そのファイル名の拡張子に応じた形式で伸長し、ビットマップデータあるいはグラフィックデータなどの一定の形式で表される画像情報に変換する。例えば、指定された画像情報ファイルのファイル名の拡張子が『．ｇｉｆ』であれば、当該画像情報をＧＩＦ形式に従って伸長し、所定の形式の画像情報に変換する。変換後の画像情報に対する制御内容を示した上位のフラグがあればその制御内容に従い、なければ初期設定による表示位置にその画像が配置されるよう表示画像情報を生成する。次いで、生成した表示画像情報を、前記表示画像情報記憶領域に追加する。
【００３１】
送信データ生成部１１２は、読み込んだタグがタグ〈Ａ〉であれば、タグ〈Ａ〉の属性である『ＨＲＥＦ＝』によって指定された『"リンク先ファイル"』が、拡張子『．ａｕ』などの音声情報であるか否かをチェックする。音声情報であれば、当該音声情報を取得リスト記憶部１２１から取り出して予め定めた一定形式の音声情報に変換し、変換後の音声情報を前記音声情報記憶領域に格納する。
【００３２】
音声情報でなければ、タグ〈Ａ〉とタグ〈／Ａ〉とで挟まれた文字列から文字画像を生成し、生成した文字画像が、上位のフラグによって配置される表示位置もしくは、初期設定による表示位置からカーソルを表示するための領域を空けて表示されるよう表示画像情報を生成する。生成した表示画像情報は、送信データ保持部１１３の表示画像情報記憶領域に追加して格納する。次いで、空き領域としたカーソル表示位置のＸ−Ｙ座標を計算する。さらに、リンク情報テーブル７００のホットスポット情報７０２を参照し、計算したカーソル表示位置のＸ−Ｙ座標と、タグ〈Ａ〉の属性『ＨＲＥＦ＝』で指定された『"リンク先ファイル名"』とから、ホットスポット情報を生成する。この際に、取得リスト２００を参照し、タグ〈Ａ〉の『"リンク先ファイル名"』から、そのファイル名２０３に対応する取得順番号２０１を調べ、当該取得順番号２０１をそのファイルの識別番号としてホットスポット情報内に記述する。もし、リンク先ファイル名が取得リストに存在しない場合には、自ファイルのファイル名をリンク先ファイル名としておく。次いで、生成したホットスポット情報を、送信データ保持部１１３のリンク情報記憶領域に追加して格納する。
【００３３】
送信データ生成部１１２は、上記処理により、１つのＨＴＭＬ文書に記述されている内容について、すべての処理を終了すると、表示画像情報領域に格納されている表示画像情報中の実際には表示されない領域の一定位置に、当該表示画像情報領域に付した識別番号を画像化して書き込む。
なお、ここでは、上記識別番号を、１０進数４桁の数字で表しているが、識別番号は、何桁であってもよく、２進数であってもよいし、文字混じりの数字や記号であってもよい。図形やバーコードなどで表されていてもよい。また、ファイル名であってもよい。さらに、音声情報記憶領域に格納されている音声情報と、リンク情報記憶領域に格納されているリンク情報とには、一般のデジタルデータファイルに付すのと同様にして、対応する記憶領域に付されている識別番号を付す。
【００３４】
このような処理により、送信データ生成部１１２は、取得されたＨＴＭＬ文書３０１、図示しない音声情報、画像情報４０１、ＨＴＭＬ文書５０１およびＨＴＭＬ文書６０１から、前記ＷＷＷホームページの第１ページの送信データ８００、第２ページの送信データ９００および第３ページの送信データ１０００を生成する。
（送信データ生成部１１２によって生成される送信データの例示）
図８は、ＨＴＭＬ文書３０１と音声情報『Ｗｅａｔｈｅｒ．ａｕ』と画像情報４０１とから生成されたＷＷＷホームページの第１ページの送信データ８００を示す説明図である。図９は、ＨＴＭＬ文書５０１から生成されたＷＷＷホームページの第２ページの送信データ９００を示す説明図である。図１０は、ＨＴＭＬ文書６０１から生成されたＷＷＷホームページの第３ページの送信データ１０００を示す説明図である。  図８に示す送信データ８００は、ＷＷＷホームページの第１ページを表し、表示画像情報８０１および音声情報８０２と、表示画像情報８０１に関連付けられたとリンク情報８０３とからなる。図８（ａ）は、表示画像情報８０１に基づいて表示される表示画像を用いて、表示画像情報８０１の内容を表す説明図である。図８（ｂ）は、音声情報８０２を示す説明図である。図８（ｃ）は、リンク情報８０３の内容を示す説明図である。
【００３５】
表示画像情報８０１の上部に破線で示す領域は、いずれの表示画像情報にも共通の非表示領域を示している。前記非表示領域は、表示部１５４の表示画面には表示されない。このような当該非表示領域の右上隅の位置には、送信データ生成部１１２によって画像として表された識別番号『０００１』が書き込まれている。また、表示される領域では、もとのファイルでは文字コードで表されていた文字列が画像化されて表され、画像情報として表されていた画像とともに、全体で一つの画像として１画面の表示画像を表している。  音声情報８０２は、ＨＴＭＬ文書３０１中のホットスポットである文字列『音声解説』にリンクされていた音声情報である。図８（ｂ）に示すように、音声情報８０２を格納しているファイルには、識別番号『０００１』が付されている。
【００３６】
音声情報８０２と同様、図８（ｃ）に示すように、リンク情報８０３を格納しているファイルには、識別番号『０００１』が付されている。リンク情報８０３は、制御用の情報であるので表示されない。リンク情報８０３中の行８１１は、すでに説明したインデックス情報で、送信データ８００のファイルの識別番号が『０００１』であることを表す。
【００３７】
行８１２は、表示画像情報８０１上の、座標値（１００、６００）で表される位置に、命令『ＧＯ＿ＴＯ＿ＰＡＧＥ（０００２）』が関連付けられており、この位置にデータ受信装置１５０側で保持しているカーソルの画像が表示されるべきことを示している。命令『ＧＯ＿ＴＯ＿ＰＡＧＥ（０００２）』は、『０００２』という識別番号の送信データ９００で表されるページを表示せよ、という命令を表す。
【００３８】
行８１３は、表示画像情報８０１上の、座標値（１００、７００）で表される位置に、命令『ＧＯ＿ＴＯ＿ＰＡＧＥ（０００３）』が関連付けられており、この位置にカーソルの画像が表示されるべきことを示している。命令『ＧＯ＿ＴＯ＿ＰＡＧＥ（０００３）』は、『０００３』という識別番号の送信データ１０００で表されるページを表示せよ、という命令を表す。
【００３９】
図９に示す送信データ９００は、ＷＷＷホームページの第２ページを表し、表示画像情報９０１と、表示画像情報９０１に関連付けられたリンク情報９０２とからなる。図９（ａ）は、表示画像情報９０１に基づいて表示される表示画像を用いて、表示画像情報９０１の内容を表す説明図である。図９（ｂ）は、リンク情報９０２の内容を示す説明図である。
【００４０】
表示画像情報９０１は、表示画像情報８０１と同様、破線で示す非表示領域の右上隅にその識別番号『０００２』が書き込まれている。
また、図９（ｂ）に示すように、リンク情報９０２を格納しているファイルには、識別番号『０００２』が付されている。
リンク情報９０２中の行９１１は、送信データ９００のファイルの識別番号が『０００２』であることを表す。
【００４１】
行９１２は、表示画像情報９０１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
【００４２】
図１０に示す送信データ１０００は、ＷＷＷホームページの第３ページを表し、表示画像情報１００１と、表示画像情報１００１に関連付けられたリンク情報１００２とからなる。図１０（ａ）は、表示画像情報１００１に基づいて表示される表示画像を用いて、表示画像情報１００１の内容を表す説明図である。図１０（ｂ）は、リンク情報１００２の内容を示す説明図である。
【００４３】
表示画像情報１００１の非表示領域の右上隅には、その識別番号である『０００３』が画像として書き込まれている。
また、図１０（ｂ）に示すように、リンク情報１００２を格納しているファイルには、識別番号『０００３』が付されている。
リンク情報１００２中の行１０１１は、送信データ１０００の識別番号が『０００３』であることを表す。
【００４４】
行１０１２は、表示画像情報１００１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
（情報取得部１１１、送信データ生成部１１２の処理の例示説明）
以下、図３、図４、図５および図６に例示したファイルを取得し、それを用いて、図８、図９および図１０の送信データを生成するまでの情報取得部１１１および送信データ生成部１１２の処理について具体的に説明する。
（情報取得部１１１の処理）
情報取得部１１１は、取得リスト記憶部１２１に示されるインターネット上のＷＷＷサーバに接続を要求し、当該ＷＷＷサーバから、取得すべきＨＴＭＬ文書３０１『Ｒｅｐｏｒｔ．ｈｔｍｌ』を取得する。次いで、取得したＨＴＭＬ文書３０１にファイル名『Ｒｅｐｏｒｔ．ｈｔｍｌ』を付し、バッファに格納する。同様にして、ＷＷＷサーバから、圧縮画像情報４０１、ＨＴＭＬ文書５０１およびＨＴＭＬ文書６０１を取得する。
（送信データ生成部１１２の処理）
送信データ生成部１１２は、送信データ保持部１１３内に、表示画像情報８０１用記憶領域と、音声情報８０２用記憶領域と、リンク情報８０３用記憶領域とからなる送信データ８００格納用の記憶領域を設定し、設定した記憶領域に、送信データ８００読み出し用の識別番号『０００１』を付与する。情報取得部１１１の前記バッファから未処理のＨＴＭＬ文書３０１を取り出し、取り出したＨＴＭＬ文書３０１を作業領域のファイル記憶領域に書き込む。
【００４５】
送信データ生成部１１２は、ＨＴＭＬ文書３０１に付されたファイル名『Ｒｅｐｏｒｔ．ｈｔｍｌ』から、ＷＷＷホームページの第１ページを表す送信データ８００の行８１１に示したインデックス情報『〈ＩＮＤＥＸ  ＝０００１〉』を生成し、送信データ保持部１１３内のリンク情報８０３用記憶領域の先頭に格納する。
【００４６】
送信データ生成部１１２は、ＨＴＭＬ文書３０１から行３１１のタグ〈ＨＴＭＬ〉を読み込む。読み込んだタグ〈ＨＴＭＬ〉内の文字列『ＨＴＭＬ』を、作業領域内のタグ記憶領域に確保し、データ変換テーブル記憶部１２２内のタグテーブルを参照して解釈し、ＨＴＭＬ文書３０１の開始行であることを識別する。この後、タグ記憶領域の文字列『ＨＴＭＬ』を消去する。
【００４７】
次いで、送信データ生成部１１２は、行３１２のタグ〈Ｈ１〉を読み込み、タグ〈Ｈ１〉をタグテーブルを参照して解釈し、作業領域内のフラグ記憶領域に見出しフラグを立てる。見出しフラグは、タグ〈Ｈ１〉に続く文字列が見出しであり、見出し用フォントを用いて表示されるべきことを示している。続いて、タグ〈／Ｈ１〉が現れるまで、タグ〈Ｈ１〉に続く文字列を１文字ずつ前記文字列記憶領域に書き込みながら、結果として文字列『天気予報』を読み込み、タグ〈／Ｈ１〉が現れると、文字列記憶領域内の文字列『天気予報』を、あらかじめ定められた見出し用のフォントで表示画像情報化する。生成した表示画像情報を、送信データ保持部１１３に設定してある表示画像記憶領域に追加する。前記作業領域に立てた見出しフラグをリセットし、文字列記憶領域に確保した文字列『天気予報』とタグ記憶領域に確保した文字列『Ｈ１』を消去する。
【００４８】
送信データ生成部１１２は、行３１３のタグ〈ＣＥＮＴＥＲ〉を読み込み、作業領域に中よせフラグを立てる。中よせフラグは、当該フラグに続いて読み込まれる文字列を中よせで表示すべきことを示している。次に、タグ〈ＣＥＮＴＥＲ〉に続く文字列を読み込もうとすると文字列がないので、行３１４の読み込みに移る。
【００４９】
送信データ生成部１１２は、行３１４のタグ〈ＩＭＧ  ＳＲＣ＝"Ｗｅａｔｈｅｒ．ｇｉｆ"〉を読み込み、読み込んだタグ〈ＩＭＧ  ＳＲＣ＝"Ｗｅａｔｈｅｒ．ｇｉｆ"〉を、タグテーブルを参照して解釈する。送信データ生成部１１２は、ファイル名"Ｗｅａｔｈｅｒ．ｇｉｆ"で表される画像情報４０１のファイルが情報取得部１１１のバッファに存在するか否かを調べ、存在するので、これを読み出す。次いで、読み出したファイルに圧縮されて格納されている画像情報４０１を、ＧＩＦ伸長方式に従って例えばビットマップデータに変換する。
【００５０】
送信データ生成部１１２は、行３１５のタグ〈／ＣＥＮＴＥＲ〉を読み込み、ビットマップデータに変換された画像情報４０１を、作業領域に立てた中よせフラグに従って配置する。このように生成された表示画像情報を、送信データ保持部１１３内の表示画像記憶領域に追加する。次いで、作業領域の中よせフラグをリセットする。
【００５１】
送信データ生成部１１２は、行３１６のタグ〈Ｐ〉を読み込み、段落フラグを立てる。段落フラグは、当該フラグに続くタグ〈／Ｐ〉までの文字列を、その直後に空白行が挿入される一つの段落として表示すべきことを示している。行３１２の『天気予報』と同様にして、文字列『明日は全国的に春めいた陽気になるでしょう』を読み込み、作業領域の文字列記憶領域に確保する。続いて、タグ〈／Ｐ〉を読み込むと、保持している文字列『明日は全国的に春めいた陽気になるでしょう』を、フォントファイルに記憶している段落用フォントで画像化し、表示画像情報として送信データ保持部１１３内の表示画像情報８０１用記憶領域に追加する。さらに、作業領域をリセットする。
【００５２】
同様に、送信データ生成部１１２は、行３１８のタグ〈ＵＬ〉を読み込み、解釈して、作業領域に箇条書きフラグを立てる。箇条書きフラグは、当該フラグの後、１項目の文字列と解釈される文字列を、番号なしの項目として箇条書き表示すべきことを示している。
送信データ生成部１１２は、行３１９のタグ〈ＬＩ〉を読み込み、タグテーブルを参照して、１項目の先頭であることを解釈し、フラグ記憶領域に項目フラグを立てる。項目フラグは、タグ〈ＬＩ〉またはタグ〈／ＵＬ〉を読み込んだときに、表示画像の表示位置を改行するべきことを示している。
【００５３】
送信データ生成部１１２は、タグ〈ＬＩ〉に続いて、タグ〈Ａ  ＨＲＥＦ＝"Ｔｏｋｙｏ．ｈｔｍｌ"〉を読み込み、タグ記憶領域に書き込む。送信データ生成部１１２は、タグテーブルに従ってタグ〈Ａ  ＨＲＥＦ＝"Ｔｏｋｙｏ．ｈｔｍｌ"〉を解釈し、前記フラグ記憶領域にさらに、リンクフラグを立てる。
リンクフラグは、タグ〈Ａ〉内の属性値の拡張子から、リンク先ファイルが音声情報か否かを調べ、音声情報であればその音声情報を所定の形式に変換し、変換後の音声情報を音声情報記憶領域に格納して、当該タグ〈Ａ〉に関する処理を終了するべきことを示している。また、リンクフラグは、リンク先ファイルが音声情報でなければ、タグ〈Ａ〉とタグ〈／Ａ〉とに挟まれた、タグ〈Ａ〉によってリンクが張られている文字列の直前に、カーソル表示用領域として２文字分の空白部分を設けて文字列を画像化し、当該文字列の表示画像情報を生成するとともに、さらに、ホットスポット情報７０２のフォーマットに従って、ホットスポット情報を生成すべきことを示している。
【００５４】
送信データ生成部１１２は、タグ〈Ａ  ＨＲＥＦ＝"Ｔｏｋｙｏ．ｈｔｍｌ"〉に続く文字列『東京』をタグ〈／Ａ〉が現れるまで読み込み、作業領域の文字列記憶領域に書きこむ。送信データ生成部１１２は、タグ〈／Ａ〉を読み込むと、文字列『東京』の直前に、２文字分の空白部分を設けて文字列『東京』を画像化し、箇条書きフラグとに従って文字列『東京』を配置し、表示画像情報を生成して送信データ保持部１１３の表示画像情報８０１用記憶領域に追加する。次いで、送信データ生成部１１２は、カーソルの表示位置の座標を計算する。さらに、計算した座標値（１００、６００）と、作業領域のタグ記憶領域に記憶している属性値『Ｔｏｋｙｏ．ｈｔｍｌ』とから、図８の行８１２に示したホットスポット情報を生成する。次いで、生成したホットスポット情報を、送信データ保持部１１３内のリンク情報８０３用記憶領域に追加する。その後、作業領域のタグ記憶領域に書き込まれているタグ内文字列『Ａ  ＨＲＥＦ＝"Ｔｏｋｙｏ．ｈｔｍｌ"』と、文字列記憶領域に書き込まれている文字列『東京』とを消去し、リンクフラグをリセットする。
【００５５】
送信データ生成部１１２は、行３２０のタグ〈ＬＩ〉を読み込んだ後、項目フラグがあるので表示画像の表示位置を改行し、行３１９の処理と同様にして、文字列『大阪』の表示画像情報を生成するとともに、図８の行８１３に示したホットスポット情報を生成する。生成した表示画像情報は送信データ保持部１１３内の表示画像情報８０１用記憶領域に追加し、ホットスポット情報は送信データ保持部１１３内のリンク情報８０３用記憶領域に追加する。この後、タグ内文字列『Ａ  ＨＲＥＦ＝"Ｏｓａｋａ．ｈｔｍｌ"』と文字列『大阪』とを消去し、リンクフラグをリセットする。
【００５６】
次いで、送信データ生成部１１２は、行３２１のタグ〈ＬＩ〉を読み込んだ後、項目フラグがあるので表示画像の表示位置を改行し、タグ〈Ａ  ＨＲＥＦ＝"Ｗｅａｔｈｅｒ．ａｕ"〉に従って、リンクフラグを立てる。リンクフラグに従って属性値の拡張子を調べると、リンク先ファイルがＡＵ形式の音声情報であるので、ＡＵ形式を予め定められた一定の形式に変換して、変換後の音声情報を音声情報８０２用記憶領域に格納する。
【００５７】
次いで、行３２２のタグ〈／ＵＬ〉を読み込み、箇条書きの終了を解釈すると、箇条書きフラグと項目フラグとをリセットする。
さらに、行３２３のタグ〈／ＨＴＭＬ〉を読み込み、ＨＴＭＬ文書３０１の終了であることを解釈すると、送信データ８００の生成処理を完了する。
この後、送信データ生成部１１２は、未処理のＨＴＭＬ文書５０１があることを調べ、送信データ保持部１１３内に、表示画像情報９０１用記憶領域と、リンク情報９０２用記憶領域とからなる送信データ９００格納用の記憶領域を設定し、設定した両記憶領域に、送信データ９００読み出し用の識別番号『０００２』を付与する。情報取得部１１１の前記バッファから未処理のＨＴＭＬ文書５０１を取り出し、取り出したＨＴＭＬ文書５０１を作業領域に書き込む。
【００５８】
送信データ生成部１１２は、ＨＴＭＬ文書５０１に付されたファイル名『Ｔｏｋｙｏ．ｈｔｍｌ』から、ＷＷＷホームページの第２ページを表す送信データ９００の行９１１に示したインデックス情報『〈ＩＮＤＥＸ  ＝０００２〉』を生成し、送信データ保持部１１３のリンク情報９０２用記憶領域の先頭に格納する。以下、ＨＴＭＬ文書３０１と画像情報４０１とから送信データ８００を生成したのと同様にして、ＨＴＭＬ文書５０１から送信データ９００を、ＨＴＭＬ文書６０１から送信データ１０００を生成することができるので、以降の説明を省略する。
（送信データ保持部１１３、送信データ読み出し部１１４、多重化部１１５、送信部１１６の構成の説明）
送信データ保持部１１３は、同時読み出しが可能な、表示画像情報記憶部１２３と音声情報記憶部１２４とリンク情報記憶部１２５とを備える。
【００５９】
表示画像情報記憶部１２３は、例えば、ＲＡＭやハードディスク装置などによって実現され、送信データ生成部１１２によって設定された複数の表示画像記憶領域を有する。各表示画像情報記憶領域は、送信データ生成部１１２によって生成された表示画像情報の１ファイル分を保持する。
音声情報記憶部１２４は、ＲＡＭやハードディスク装置などによって実現され、送信データ生成部１１２によって設定された複数の音声情報記憶領域を有する。各音声情報記憶領域は、送信データ生成部１１２によって生成された１ファイル分の音声情報を保持する。
【００６０】
リンク情報記憶部１２５は、ＲＡＭやハードディスク装置などによって実現され、送信データ生成部１１２によって設定された複数のリンク情報記憶領域を有する。各リンク情報記憶領域は、送信データ生成部１１２によって生成されたリンク情報の１ファイル分を保持する。
送信データ読み出し部１１４は、送信データ保持部１１３内に設定された各記憶領域から、送信データのファイルを識別番号の順に、同一送信データファイル内の表示画像情報と音声情報とリンク情報とを同時に読み出し、それぞれを多重化部１１５に出力する。また、末尾の識別番号に対応する送信データのファイルを読み出した後、当該識別番号が『０００１』の送信データに戻って、識別番号順に送信データを読み出す。すなわち、送信データ読み出し部１１４は、送信データ保持部１１３内に格納されている送信データを、識別番号の順に巡回して読み出し、多重化部１１５に出力する。その際、音声情報が存在しない場合と、存在する場合とで読み出し方が次のように異なる。すなわち送信データ読出部１１４は、音声情報が存在しない場合には、その送信データファイルを１回読み出した後、次の識別番号の送信データファイルの読み出しに移る。音声情報が存在する場合には、その送信データファイルから音声情報を読み出し、さらに、当該音声情報の再生に要する時間、その送信データファイルの表示画像情報とリンク情報とを複数回読み出した後、次の識別番号の送信データファイルの読み出しに移る。例えば、音声情報の再生時間が２秒だとすると、送信データ読出部１１４は、音声情報を１回読み出すとともに、表示画像情報リンク情報とを６０回（２秒＊３０フレーム／秒）読み出して、次の識別番号の送信データファイルの読み出しに移る。これにより、音声情報の送信時間を確保している。
【００６１】
多重化部１１５は、送信データ読み出し部１１４によって読み出された表示画像情報（音声情報を含む）とリンク情報とを多重化し、送信部１１６に出力する。多重化の方法は、例えば、従来のＴＶ放送用文字多重化技術を用いる。この場合、表示画像情報と音声情報とは、画像と音声とからなる従来の放送番組と同様に、また、リンク情報は、放送番組に多重化される一般の文字情報と同様に多重化する。つまり、音声情報が存在しない場合には、表示画像情報は１フレーム分のテレビジョン映像信号の映像区間に、リンク情報は当該１フレーム分のテレビジョン信号の帰線区間に載せられて送信される。音声情報が存在する場合には、音声情報はテレビジョン音声信号に、表示画像情報、リンク情報は、当該音声データの再生時間にかかる複数フレームにわたって、テレビジョン映像信号の映像区間、帰線区間に載せられて送信される。
【００６２】
送信部１１６は、多重化部１１５によって多重化された送信データを順次、ＴＶ放送用地上波で送信する。
（送信データの送信方法の説明）
図１１は、送信部１１６による送信データの送信方法を示す説明図である。なお、図１１では、第１ページから第ｎ（ｎは自然数）ページまでの送信データが送信データ生成部１１２によって生成された場合について示している。また、図１１は、同一識別番号を有する表示画像情報と音声情報との組を、ＴＶの通常の放送番組に対応づけた１送信単位として表し、１つの識別番号を有するリンク情報を、前記放送番組に多重化される一般の文字情報に対応づけた１送信単位として表している。
【００６３】
図１１に示すように、同一送信データファイルに格納されている表示画像情報、音声情報、リンク情報には同一の識別番号が付されて対応付けられている上に、ここではさらに、時間的にも対応付けられて送信される。そして、送信データ保持部１１３に保持されている第１ページから第ｎページまでの送信データは、識別番号の順に繰り返し送信される。
【００６４】
なお、ここでは、送信データ読み出し部１１４が、同一送信データファイルに格納される表示画像情報と音声情報とリンク情報とを、表示画像情報記憶部１２３と音声情報記憶部１２４とリンク情報記憶部１２５とから同時に読み出し、それによって、表示画像情報と音声情報とリンク情報とを、識別番号と送信タイミングとの両方で対応付けて送信するとしたが、表示画像情報（音声情報を含む）とリンク情報とは、必ずしも送信タイミングまで合わせて送信される必要はない。例えば、送信データ読み出し部１１４を、第１読み出し部と第２読み出し部との２つの構成要素から構成し、第１読み出し部は表示画像情報記憶部１２３内と音声情報記憶部１２４とに生成されている表示画像情報と音声情報との組を連続的に読み出して多重化部１１５に出力し、第２読み出し部はリンク情報記憶部１２５内に生成されているリンク情報だけを連続的に読み出して多重化部１１５に出力する、としてもよい。このようにすると、同一送信データファイルに格納されている表示画像情報とリンク情報とであっても、それらが送信部１１６から送信されるタイミングは、必ずしも一致するとは限らないが、表示画像情報とリンク情報とにはそれぞれ識別番号が付されているので、その識別番号によってデータ受信装置１５０側で対応する表示画像情報とリンク情報とを取り込むことができる。
【００６５】
また、多重化部１１５が、送信データ生成部１１２によって生成された表示画像情報（音声情報を含む）とリンク情報とを多重化し、送信部１１６が、多重化された送信データをＴＶ放送用地上波で送信するとしたが、表示画像情報とリンク情報とは、必ずしも多重化されて送信される必要はなく、例えば、表示画像情報と音声情報とをＴＶ放送用地上波あるいは衛星デジタル放送などで送信し、リンク情報は電話回線とモデムなどを利用して送信するようにしてもよい。また、複数チャネルを用いて送信するようにしてもよい。
【００６６】
さらに、データ送信方法として衛星デジタル放送を利用する場合には、例えば、ＭＰＥＧ２ビデオ規格、システム規格に基づく圧縮符号化技術および多重化技術を用い、表示画像情報をＩピクチャとし、音声情報およびリンク情報をプライベート情報として送信するようにしてもよい。このように、表示画像情報および音声情報とリンク情報とを、デジタルデータとして送信することができる場合には、上記のように表示画像情報中の非表示領域に画像化された識別番号を書き込んでおく必要はなく、表示画像情報や音声情報も、リンク情報と同様に、単に識別番号を付して送信することができる。なお、ＭＰＥＧ２規格については、『最新ＭＰＥＧ教科書』（株式会社アスキー出版局発売）に詳しく記述されている。
【００６７】
図１２に、衛星デジタル放送を利用する場合に送信される多重化ストリームの説明図を示す。同図の上段は、ＭＰＥＧ２規格によるトランスポートストリームを表している。このトランスポートストリームは、多重化部１１５により多重化される。
トランスポートストリーム中の「Ｖ１、Ａ１、Ｌ１」は、識別番号１に対応する送信データファイルから読み出されて多重化された表示画像情報、音声情報、リンク情報を示している。「Ｖ２、Ａ２、Ｌ２」〜「Ｖｎ、Ａｎ、Ｌｎ」も同様である。
【００６８】
「Ｖ１」は、ＭＰＥＧ２規格に準拠してＩ(Intra)ピクチャに変換された表示画像情報を表すビデオエレメンタリーストリームであり、ストリームを区別するためのＰＩＤ(Packet IDentifier) 「0x0100」が付与されている。「Ｖ２」以降も同様である。
「Ａ１」は、ＭＰＥＧ２規格に準拠して変換された音声情報を表すオーディオエレメンタリーストリームであり、ストリームを区別するためのＰＩＤ「0x0101」が付与されている。「Ａ２」以降も同様である。
【００６９】
「Ｌ１〜Ｌｎ」は、各リンク情報を載せるためのＭＰＥＧ２規格に準拠するプレイベートセクションであり、プライベートセクションを区別するためのテーブルＩＤ「０ｘＢ０」が付与され、さらに個々のリンク情報を区別するためにテーブルＩＤエクステンションに識別番号が設定されている。各リンク情報には、対応する表示画像における一部の画像領域と、他の表示画像へのリンクを示す情報とからなる少なくとも１つの組みが設定される。例えば「Ｌ１」では、座標（Ｘ、Ｙ）＝(100、600)を中心とする画像領域に対して、識別子０００２の表示画像へのリンク(GOTO#PAGE(0002))が設定され、座標（Ｘ、Ｙ）＝(100、700)を中心とする画像領域に対して、識別子０００３の表示画像へのリンク(GOTO#PAGE(0002))が設定されている。
【００７０】
また、上記のＰＩＤと識別番号との対応関係は、ＭＰＥＧ２規格に準拠したＰＭＴ(Program Map Table)に設定される。同図のようにＰＭＴ中のcomponent#tagに識別番号を設定するなど、ＰＭＴ中のデスクリプターに上記ＰＩＤと識別番号との対応関係を記述しておけばよい。
この場合、上記ビデオエレメンタリーストリーム、オーディオエレメンタリーストリーム、プライベートセクションが、送信データ生成部１１２により作成され、それぞれ送信データ保持部１１３に記憶される構成となる。さらに図１２のトランスポートストリームは、多重化部１１５により作成される構成となる。
【００７１】
このようにしてトランスポートストリームにｎ個の表示画像情報、音声情報、リンク情報の組みとＰＭＴとを多重化すれば、衛星デジタル放送を用いて容易に送信可能となる。
（データ送信装置１１０全体の概略的処理手順）
以下、図１３（ａ）から図１４を用いて、データ送信装置１１０の処理手順について具体的に説明する。
【００７２】
図１３（ａ）は、データ送信装置１１０全体の概略的処理手順を示すフローチャートである。
情報取得部１１１は、外部データベースから所定の情報を取得し、内部のバッファに格納する（S１１０１）。
送信データ生成部１１２は、情報取得部１１１が取得した情報を解釈して、表示画像情報と、音声情報と、リンク情報とを生成し、送信データ保持部１１３に格納する（S１１０２）。
【００７３】
送信データ読み出し部１１４が、送信データ保持部１１３内の送信データを、識別番号順に巡回して読み出す（S１１０３）。
多重化部１１５が、読み出された表示画像情報（音声情報を含む）とリンク情報とを多重化し、送信部１１６が、多重化された送信データをＴＶ放送用地上波を用いて送信する（S１１０４）。
（情報取得部１１１の処理手順）
図１３（ｂ）は、情報取得部１１１による情報取得処理の手順の一例を示すフローチャートである。
【００７４】
情報取得部１１１は、取得リスト記憶部１２１内の取得情報リストを参照し、まだ取得されていない情報が有るか否かをチェックする（S１２０１）。存在しなければ情報取得処理を終了する。存在すれば、まだ取得していない情報の取得先アドレス（ＵＲＬ）を１つ取り出す（S１２０２）。
取り出したアドレスをもとに外部データベースに接続を要求し（S１２０３）、接続が成功したかどうかを確認する（S１２０４）。失敗の場合、S１２０３へ戻る（S１２０４）。
【００７５】
接続が成功したら、取得情報リストからまだ取得していない情報のファイル名を読み出し、当該外部データベースから目的のファイルを取得して内部のバッファに記憶する（S１２０５）。S１２０１へ戻る。
（送信データ生成部１１２の処理手順）
図１４は、送信データ生成部１１２による送信データ生成処理の手順の一例を示すフローチャートである。
【００７６】
送信データ生成部１１２は、情報取得部１１１内のバッファを参照し、未処理のＨＴＭＬ文書があるか否かをチェックする（S１３０１）。なければ表示画像生成処理を終了する。あれば、送信データ格納用の記憶領域を送信データ保持部１１３内に設定し、設定した記憶領域に識別番号を付すとともに、未処理のＨＴＭＬ文書を前記バッファから１つ取り出す（S１３０２）。
【００７７】
取り出したＨＴＭＬ文書のファイル名から、送信データのファイル名を示すインデックス情報を作成し、送信データ保持部１１３に設定したリンク情報記憶領域に追加する（S１３０３）。
取り出したＨＴＭＬ文書から１文字読み込み、文字列記憶領域に書きこむ（ステップＳ１３０４）。
【００７８】
読み込んだ文字がタグ開始文字『〈』か否かをチェックする（S１３０５）。タグ開始文字の場合、S１３０７へ移る。タグ開始文字でない場合、読み込んだ文字を作業領域内の文字列記憶領域に追加して書き込み、ステップＳ１３０４へ戻る（S１３０６）。
次の文字を１文字読み込む（S１３０７）。タグ終了文字『〉』か否かをチェックする（S１３０８）。タグ終了文字の場合、S１３１０へ移る。タグ終了文字でない場合、読み込んだ文字を作業領域内のタグ記憶領域に追加して書き込み、S１３０７に戻る（S１３０９）。
【００７９】
タグ記憶領域内の文字列をタグテーブルと照合し、『／』で始まる文字列か否かをチェックする（S１３１０）。『／』で始まる文字列の場合、読み込んだタグが〈／ＨＴＭＬ〉タグか否かをチェックする（S１３１１）。〈／ＨＴＭＬ〉タグの場合、作業領域をすべてリセットしてS１３０１に戻る。〈／ＨＴＭＬ〉タグでない場合、そのタグに対応してフラグ記憶領域にセットされている最下位フラグに応じた処理を行い、作業領域内の対応する記憶領域をリセットして（S１３１２）、S１３０４に戻る。
【００８０】
S１３１０において、『／』で始まる文字列でない場合、読み込んだタグが〈ＩＭＧ〉タグか否かをチェックする（S１３１３）。〈ＩＭＧ〉タグの場合は、〈ＩＭＧ〉タグの属性値で指定されているファイル名の画像情報ファイルを、情報取得部１１１のバッファから取り出す（S１３１４）。取り出した画像情報を、ＧＩＦ伸長方式に従って、ビットマップデータで表される画像情報に変換し、S１３０４に戻る（S１３１５）。
【００８１】
読み込んだタグが〈ＩＭＧ〉タグでない場合、タグ記憶領域内の文字列をタグテーブルと照合し、そのタグに対応したフラグをフラグ記憶領域に立て、あるいはそのタグに対応した処理を行い（S１３１６）、S１３０４に戻る。
なお、ＨＴＭＬ文書では、多種のタグが用いられており、それらのタグに対応する処理は既存のブラウザと同様にして処理することができる。従って、以下では、データ通信システム１００専用のフォーマットで生成されるリンク情報の生成に関係した、〈／Ａ〉タグに対する処理についてのみ、S１３１２における処理の一例として説明する。
【００８２】
図１５は、図１４のS１３１２における処理手順の一部具体例を示すフローチャートである。
〈／Ａ〉タグか否かをチェックする（S１４０１）。〈／Ａ〉タグでない場合、S１４０８に移る。
〈／Ａ〉タグの場合、属性値で示されるリンク先ファイルが音声情報ファイルか否かをチェックする（S１４０２）。音声情報ファイルの場合、ステップＳ１４０７に移る。
【００８３】
音声情報ファイルでなければ、カーソル図形の表示領域をあけて文字列記憶領域に確保された文字列の表示画像情報を生成し、送信データ保持部１１３内の表示画像情報記憶領域に追加する（S１４０３）。
カーソル図形の表示位置を示すＸ−Ｙ座標を計算する（S１４０４）。計算したＸ−Ｙ座標と、タグ記憶領域に確保した属性値とから、ホットスポット情報を生成し、送信データ保持部１１３のリンク情報記憶領域に追加して格納する（S１４０５）。作業領域内のリンクフラグをリセットし、タグ記憶領域と文字列記憶領域内の文字列を消去する（S１４０６）。
【００８４】
音声情報ファイルを取り出し、ファイル内の音声情報を予め定められた一定の形式に変換して音声情報記憶領域に格納する（S１４０７）。
読み込んだタグに対応した処理を行う（S１４０８）。
（データ受信装置１５０の構成の説明）
以下、図１６から図２０を用いて、データ受信装置１５０の各構成について説明する。
（受信分離部１５１の構成）
受信分離部１５１は、送信データに付されている識別番号を読み取るための読み取りバッファ１６１を備える。読み取りバッファ１６１は、１ファイル分の表示画像情報（音声情報を含む）と、１ファイル分のリンク情報とを、それぞれに一時保持するための記憶領域を有する。
【００８５】
受信分離部１５１は、受信した送信データから表示画像情報（音声情報を含む）とリンク情報とを分離し、分離した１ファイル分の表示画像情報（音声情報を含む）と、１ファイル分のリンク情報とを、それぞれに対応する読み取りバッファ１６１内の記憶領域に格納する。前記記憶領域に格納されている表示画像情報については、その表示画像情報の非表示領域内の一定位置に書き込まれている画像を文字認識することによりその識別番号を読み取る。前記記憶領域に格納されているリンク情報については、一般的なデジタルデータのファイルに付されている識別番号を読み取るのと同様にして読み取る。読み取った識別番号が、制御部１５５に指示された識別番号であれば、読み取りバッファ１６１に保持しているその表示画像情報（音声情報を含む）またはそのリンク情報を、受信データ保持部１５２内の対応する記憶領域に格納する。このとき音声情報については、受信分離部１５１は、表示画像情報を格納すると同時に音声情報を受信データ保持部１５２内の対応する記憶領域に格納し、さらに制御部１５５に指示された識別番号と同じ識別番号の表示画像情報が連続して送信されている間は、音声情報を蓄積していく。これにより、複数フレームにまたがって送信される音声情報を分離している。
【００８６】
読み取った識別番号が、制御部１５５に指示された識別番号でなければ、読み取りバッファ１６１に保持しているその表示画像情報（音声情報を含む）またはそのリンク情報を廃棄し、制御部１５５に指示された識別番号を読み取るまで、新たな表示画像情報（音声情報を含む）とリンク情報とを読み取りバッファ１６１に取り込み、上記処理を繰り返す。
（受信データ保持部１５２、再生部１５３、表示部１５４の構成）
受信データ保持部１５２は、受信分離部１５１によって分離された表示画像情報（音声情報を含む）とリンク情報とを識別番号により対応づけて格納する。表示画像情報を記憶するための領域は、例えば、１画面の静止画像を格納するためのＲＡＭやハードディスク装置などにより実現される。
【００８７】
再生部１５３は、制御部１５５の指示に従って、受信データ保持部１５２内に格納されている表示画像情報と、制御部１５５から入力される後述の図形情報とを再生し、表示部１５４に出力する。また、表示画像情報の再生と同期して、表示画像情報とともに格納されている音声情報を再生し、音声出力部１５７に出力する。
【００８８】
表示部１５４は、ＮＴＳＣ方式などに従って画像を表示するＴＶモニタなどで実現され、再生部１５３からの入力に従って、表示画像とカーソル図形とを画面に表示する。
（制御部１５５の構成）
制御部１５５は、まず、変数値を記憶するレジスタに初期値を設定し、その初期値で示されるページに対応した、例えば識別番号『０００１』の表示画像情報（音声情報を含む）とリンク情報とを取り込むよう受信分離部１５１に指示する。
【００８９】
制御部１５５は、受信データ保持部１５２に新たな表示画像情報（音声情報を含む）が格納される都度、その表示画像情報（音声情報を含む）の再生を再生部１５３に指示し、受信データ保持部１５２に新たなリンク情報が格納される都度、そのリンク情報を解釈して、各カーソル表示位置に後述のカーソル図形を対応づけたカーソル図形対応表を作成する。なお、前記カーソル図形は、制御部１５５が内部に保持している図形情報によって表される。さらに、制御部１５５は、カーソル図形を表す図形情報と、その表示位置とを再生部１５３に出力して、その図形情報の再生を指示する。
【００９０】
図１６は、制御部１５５が、カーソル図形の表示位置を制御するために作成するカーソル図形対応表の一例を示す説明図である。
カーソル図形対応表は、受信データ保持部１５２に保持されているリンク情報のホットスポット情報で示される各カーソル表示位置と、その表示位置に表示されるべきカーソル図形のカーソル番号との対応を示す。制御部１５５は、例えば、リンク情報中の各カーソル表示位置に対し、Ｙ座標が小さい順に、次いでＸ座標が小さい順に、カーソル番号を付し、カーソル図形対応表の当該カーソル番号に対応する項目にその表示位置を書き込む。
【００９１】
図１７は、制御部１５５が保持している図形情報の一例を示す説明図である。制御部１５５は、図１７に示すように、各カーソル番号に対応づけて、そのカーソルが選択されたときのカーソル図形と、選択されていないときのカーソル図形とを表した図形情報を保持している。
さらに、制御部１５５は、信号受信部１５６からの割込みに応じ、信号受信部１５６の保持する入力信号の種別を解釈して、対応するカーソル図形の図形情報を選び、再生部１５３に出力する。次いで、選択が確定されたカーソルに従って、受信分離部１５１の送信データの取り込みを制御する。
（受信データの表示制御処理）
なお、以下では、受信分離部１５１によって受信データ保持部１５２内の対応する記憶領域に格納された、同一識別番号を有する表示画像情報（音声情報を含む）とリンク情報との組を受信データということにし、制御部１５５による受信データの表示制御処理について、さらに具体的に説明する。
【００９２】
制御部１５５は、表示すべき受信データの識別番号を表す変数Ｐ−Ｉｎｄｅｘをあらかじめ定められた値、例えば『１』に設定する。次に、選択状態のカーソル番号を表す変数Ｃｕｒ−Ｐｏｓを、あらかじめ定められた値、例えば『１』に設定する。制御部１５５は、変数Ｐ−Ｉｎｄｅｘの示す送信データの取り込みを受信分離部１５１に指示する。さらに、その指示に従って取り込まれ、受信データ保持部１５２に格納された受信データのリンク情報を解釈して、変数Ｃｕｒ−Ｐｏｓの示すカーソルを選択状態とした各カーソルの図形情報を、対応する表示位置とともに再生部１５３に出力する。次いで、信号受信部１５６からの割込みが発生すると、信号受信部１５６に保持されている入力信号を解釈する。まず、入力が『上』か否かをチェックし、『上』であれば変数Ｃｕｒ−Ｐｏｓの値を１増やす。入力が『下』か否かをチェックし、『下』であれば変数Ｃｕｒ−Ｐｏｓの値を１減らす。入力が『確定』か否かをチェックし、『確定』であれば変数Ｃｕｒ−Ｐｏｓで示されるカーソル番号からその表示位置の座標を求め、その座標からホットスポット情報に記述されたリンク先のファイルの識別番号を得る。さらに、その識別番号を変数Ｐ−Ｉｎｄｅｘの値に設定し、変数Ｐ−Ｉｎｄｅｘの示す送信データの取り込みを受信分離部１５１に指示する。
（信号受信部１５６、音声出力部１５７の構成）
信号受信部１５６は、外部の図示しないリモコン等からの入力信号を受信すると、入力信号受信による制御部１５５への割込みを発生し、受信した入力信号を保持する。
【００９３】
音声出力部１５７は、スピーカなどによって実現され、再生された音声情報を音声として出力する。
（表示画像の例示）
図１８は、図８の送信データ８００に基づいて表示部１５４に表示される初期画面の表示画像１８００を示す説明図である。
【００９４】
図１８に示すように、表示画像１８００には、リンク情報８０３の行８１２に示したホットスポット情報に従い、表示画像情報８０１によって表される表示画像中の表示位置（１００、６００）に、カーソル番号『１』に対応したカーソル図形１８０１が表示されている。なお、制御部１５５の変数Ｃｕｒ−Ｐｏｓの初期値により、カーソル図形１８０１として、選択状態を示す図形情報が選ばれている。
【００９５】
同様に、リンク情報８０３の行８１３に示したホットスポット情報に従い、表示位置（１００、７００）に、カーソル番号『２』に対応したカーソル図形１８０２が表示されている。なお、カーソル番号『２』は、変数Ｃｕｒ−Ｐｏｓの初期値ではないので、カーソル図形１８０２として非選択状態を示す図形情報が選ばれている。
【００９６】
なお、送信データ８００には、表示画像情報８０１とともに音声情報８０２が含まれているので、表示部１５４に表示画像１８００が表示されるとともに、音声による『音声解説』が音声出力部１５７から出力される。
図１９は、図９の送信データ９００に基づいて表示部１５４に表示される初期画面の表示画像１９００を示す説明図である。
【００９７】
図１８に示した表示画像１８００と同様、表示画像１９００には、リンク情報９０２の行９１２に示したホットスポット情報に従い、表示画像情報９０１によって表される表示画像中の表示位置（０５０、４００）に、カーソル番号『１』に対応したカーソル図形１９０１が表示される。また、カーソル図形１９０１として、選択状態を示す図形情報が選ばれる。
【００９８】
図２０は、図１０の送信データ１０００に基づいて表示部１５４に表示される初期画面の表示画像２０００を示す説明図である。
同様に、表示画像２０００には、リンク情報１００２の行１０１２に示したホットスポット情報に従い、表示画像情報１００１によって表される表示画像中の表示位置（０５０、４００）に、カーソル番号『１』に対応し、選択状態を示すカーソル図形２００１が表示される。
（制御部１５５の処理の具体例）
以下では、送信データ８００に基づいて表示画像１８００を表示部１５４に表示させる場合の制御部１５５の処理手順について具体的に説明する。
【００９９】
制御部１５５は、先ず、変数Ｐ−Ｉｎｄｅｘの初期値を『０００１』に、変数Ｃｕｒ−Ｐｏｓの初期値を『１』に設定する。次いで、変数Ｐ−Ｉｎｄｅｘが表す識別番号『０００１』の表示画像情報８０１（音声情報８０２を含む）とリンク情報８０３とを取り込むよう受信分離部１５１に指示する。制御部１５５は、受信データ保持部１５２に格納されている表示画像情報８０１（音声情報８０２を含む）の再生を、再生部１５３に指示する。再生部１５３は、第１ページの表示画像情報８０１を再生し、表示部１５４に出力するとともに、音声情報８０２を再生して音声出力部１５７に出力する。制御部１５５は、受信データ保持部１５２に格納されているリンク情報８０３を解釈し、カーソル図形対応表を作成して、各カーソルの図形情報とその表示位置とを再生部１５３に出力する。このとき、変数Ｃｕｒ−Ｐｏｓが示すカーソル、すなわち１番目のカーソルを選択状態の画像にする。
【０１００】
制御部１５５は、信号受信部１５６からの入力を待つ。外部のリモコン等から信号受信部１５６に、『上』信号が入力されたとする。入力信号が『上』であれば、制御部１５５は変数Ｃｕｒ−Ｐｏｓの値を１増やす。すなわち変数Ｃｕｒ−Ｐｏｓの値を『２』に設定する。次いで、新たな変数Ｃｕｒ−Ｐｏｓで示されるカーソル番号『２』の図
形を選択状態の図形情報とし、元の変数Ｃｕｒ−Ｐｏｓで示されるカーソル番号『１』の図形を非選択状態の図形情報として、それぞれを再生部１５３に出力する。
【０１０１】
制御部１５５は、信号受信部１５６からの割り込みを待ち、割り込み発生後に信号受信部１５６に、『確定』を示す入力信号が保持されていたとする。入力信号が『確定』であれば、制御部１５５は、変数Ｃｕｒ−Ｐｏｓが示すカーソル番号『２』に対応付けられたＸ−Ｙ座標（１００、７００）を、カーソル図形対応表から読み出す。次いで、読み出したＸ−Ｙ座標（１００、７００）をもとに、行８１３のホットスポット情報のリンク先ファイルの識別番号『０００３』を読み出し、読み出したリンク先ファイルの識別番号『０００３』を得る。得られた識別番号『０００３』を変数Ｐ−Ｉｎｄｅｘの値として設定する。次いで、変数Ｐ−Ｉｎｄｅｘで示される識別番号を有した表示画像情報１００１とリンク情報１００２との取り込みを受信分離部１５１に指示する。制御部１５５は、変数Ｃｕｒ−Ｐｏｓの値を『１』に初期化する。
【０１０２】
以下、上記と同様の処理を行うことにより、図２０に示す表示画像２０００を表示部１５４に表示させることができる。また、変数Ｃｕｒ−Ｐｏｓの値が『１』のとき割り込みが発生し、割込みにより制御部１５５が信号受信部１５６を参照したときに、信号受信部１５６が『確定』を示す入力信号を保持していた場合には、制御部１５５は、上記と同様にして、図１９に示す表示画像１９００を表示部１５４に表示させることができる。
（表示制御処理の手順）
図２１は、制御部１５５の表示制御処理の手順の一例を示すフローチャートである。
【０１０３】
制御部１５５は、取り込むべき送信データの識別番号を示す変数Ｐ−Ｉｎｄｅｘを初期値に設定する（S２１０１）。
制御部１５５は、各表示画像の初期画面における選択状態のカーソル番号を示す変数Ｃｕｒ−Ｐｏｓを初期値に設定する（S２１０２）。
制御部１５５は、変数Ｐ−Ｉｎｄｅｘの識別番号を有する送信データの取り込みを受信分離部１５１に指示する。受信分離部１５１は、制御部１５５の指示に従って、受信した送信データから表示画像情報とリンク情報とを分離し、該当する表示画像情報とリンク情報とを、識別番号により対応づけて受信データ保持部１５２に格納する（S２１０３）。
【０１０４】
再生部１５３は、制御部１５５の指示により、受信データ保持部１５２内の表示画像情報を再生し、表示部１５４に出力する。表示画像情報に対応付けられた音声情報があれば、当該音声情報を再生し、音声出力部１５７に出力する（ステップＳ２１０４）。
制御部１５５は、受信データ保持部１５２内のリンク情報を解釈し、カーソル図形を表す図形情報を、その表示位置を示すＸ−Ｙ座標とともに再生部１５３に出力し、その図形情報の再生を指示する。再生部１５３は、制御部１５５から入力された図形情報を再生して、表示部１５４に出力する（S２１０５）。これにより、表示部１５４は、１画面の表示画像を表示する。
【０１０５】
制御部１５５は、信号受信部１５６からの割込みを待ち（S２１０６）、割込みが発生すると、信号受信部１５６に保持されている入力信号が『上』であるか否かをチェックする（S２１０７）。
『上』であれば、変数Ｃｕｒ−Ｐｏｓの値から『１』を減算し（S２１０８）、『上』でなければ、『下』であるか否かをチェックする（S２１０９）。
【０１０６】
『下』であれば、変数Ｃｕｒ−Ｐｏｓの値に『１』を加算し（S２１１０）、『下』でなければ、さらに、『確定』であるか否かをチェックする（ステップＳ２１１１）。
『確定』であれば、そのときの変数Ｃｕｒ−Ｐｏｓの値に従って、カーソル番号→カーソル図形対応表のカーソル表示位置（Ｘ、Ｙ）→ホットスポット情報内のリンク先ファイルの識別番号の順に各値を求め、求められた識別番号を変数Ｐ−Ｉｎｄｅｘの値に設定する。この後、S２１０２に戻る。『確定』でなければ、S２１０６に戻る。
【０１０７】
以上のように、本実施の形態によれば、本来であれば、データ受信装置１５０側において、制御情報を解釈しながら生成されるべき表示画像情報を、予めデータ送信装置１１０側で生成して送信するので、データ受信装置１５０の負荷を軽減することができる。また、制御情報に記述されている、表示用文字列の表示制御処理の種類の多さや、処理数の多さに比べれば、リンク情報による制御処理は処理の種類が限定されいるので、比較的処理数も少ない。従って、データ受信装置１５０は、このようなリンク情報を用いて、容易にデータ送信装置１１０との擬似的双方向通信を行うことができる。
【０１０８】
また、本実施の形態によれば、データ通信システム１００は、インターネット上のＷＷＷホームページを表示する場合、１対多のＴＶ放送を用いて擬似的双方向通信を行うので、パソコンのブラウザを用いて表示する場合に比べて、伝送路の状態による影響を受けずに、速やかに所望のページを表示部１５４に表示させることができる。また、予めＴＶフォーマットで表された表示画像情報を用いるので、容易にフルカラー、高解像度の表示画像を、表示部１５４に表示させることができる。また、ブラウザによって生成された表示画像をＴＶに表示する場合では、表示画像の再生処理など、ＴＶに本来備えられている構成が十分に利用されなかったが、本実施の形態では、ＴＶに本来備えられているメモリや、デコーダなどを有効に利用して上記擬似的双方向通信を行うことができる。
【０１０９】
なお、本実施の形態では、取得する情報の例として、ＷＷＷで用いられるＨＴＭＬ文書およびそれに関連付けられたＧＩＦ形式の圧縮画像情報とＡＵ形式の音声情報とを示したが、ハイパーカード等の他の形式や言語で記述された情報でもよい。この場合、〈Ａ〉タグに関する処理を、当該形式および当該言語に対応する方法で変更すればよい。また、本実施の形態では、限られたタグのみの含まれるＨＴＭＬ文書の変換の例を示したが、他のタグが含まれていてもよい。
【０１１０】
なお、本実施の形態では、リンク情報による擬似的双方向通信の制御の例として、別の画面を表示する処理を説明したが、前記擬似的双方向通信に加えて、画面を点滅させたり、画面をスクロールさせる処理や、データ受信装置に接続されているＦＡＸ、電話あるいはビデオなどの装置を起動、操作する処理などを記述してもよい。
【０１１１】
なお、上記データ通信システム１００では、送信データ生成部１１２がリンク情報中のファイルを識別番号で記述したが、必ずしも識別番号で記述しなくてもよい。例えば、リンク情報中のファイルの識別番号を、もとのファイル名で記述しておいてもよい。この場合、送信時には各送信データの表示画像情報（音声情報を含む）とリンク情報とに識別番号を付して送信し、これを受信するデータ受信装置１５０側では、起動時に、予め一巡のリンク情報を順次取り込んで、ファイル名と識別番号との対応を調べるようにすればよい。
【０１１２】
また、データ受信装置１５０は、受信データ保持部１５２内に、データ送信装置１１０からくり返し送信されてくる一巡すべての表示画像情報とリンク情報とを格納するようにしてもよい。
さらに、図１２に示したトランスポートストリームがデータ送信装置１１０から送信される場合、データ受信装置１５０は、受信分離部１５１によりまずＰＭＴを分離・取得して、取り込むべき表示画像情報のＰＩＤをＰＭＴから読み出し、当該ＰＩＤをフィルタ条件としてトランスポートストリームから表示画像情報を分離取得すればよい。また、リンク情報については、リンク情報を載せたプライベートセクションのテーブルＩＤをＰＭＴから読み出して、当該テーブルＩＤと、識別番号をフィルタ条件としてトランスポートストリームからリンク情報を分離取得すればよい。
【０１１３】
なお、図１２に示したトランスポートストリームでは、ビデオエレメンタリーストリームはＩピクチャーからなるとしているが、ＰピクチャーやＢピクチャーを含むビデオエレメンタリーストリームとしてもよい。また、表示画像情報は、ＭＰＥＧ２規格でエンコードされることとしているが、ＭＰＥＧ１形式や、ＪＰＥＧ形式や、ＧＩＦ形式など他の形式でもよい。さらに、表示画像情報、音声情報をビデオエレメンタリーストリーム、オーディオエレメンタリーストリームとしているが、リンク情報と同様にプライベートセクション形式で多重化してもよい。
（実施の形態２）
図２２は、本発明に係るデータ通信システムのデータ変換装置の実施の形態２の構成図である。なお、データ通信システム全体の構成は、実施の形態１と異なるところはないので、その説明を省略し、本実施の形態に関連する部分についてのみ説明する。
【０１１４】
データ変換装置は、情報取得部２２０１と、データ変換テーブル記憶部２２０２と、カーソル形状記憶部２２０３と、文書一時記憶部２２０４と、制御部２２０５と、画像情報生成部２２０６と、リンク情報生成部２２０７と、生成情報一時記憶部２２０８とを備えている。
なお、このデータ変換装置は、上記実施の形態１の情報取得部１１１と送信データ生成部１１２とに相当するものであり、情報取得部２２０１は外部データベースと、制御部２２０５は送信データ保持部１１３とそれぞれ接続されている。
【０１１５】
また、上記実施の形態１では、カーソル図形は、データ受信装置１５０の制御部１５５の内部に保持するとしたけれども、本実施の形態では、データ受信装置１５０にカーソル形状を予め保持することとせず、画像情報に含めてデータ送信装置１１０の送信部１１６から送信することになる。
情報取得部２２０１は、バッファを含み、外部のデータベースからマルチメディアデータを取得し、保持する。このマルチメディアデータは、図２３、図２４に示すようなＨＴＭＬ（Ｈｙｐｅｒ  Ｔｅｘｔ  Ｍａｒｋｕｐ  Ｌａｎｇｕａｇｅ）で記述された文書２３０１、２４０１等と、図２５に示すような画像情報２５０１とを含んでいる。なお、画像情報２５０１は、ＧＩＦ形式で圧縮されている。
【０１１６】
文書２３０１、２４０１、画像情報２５０１の内容は、上記実施の形態１でほぼ説明されているので説明を省略する。この文書２３０１と画像情報２５０１とを従来から利用されているＷＷＷのブラウザによって画面サイズ６４０×４８０ドットのパーソナルコンピュータの表示画面２６０１に表示すると、図２６、図２７に示すようになる。文書２３０１は、表示画面２６０１の２画面に亘る再生画像２６０２、２７０１として表示される。この再生画像２６０２、２７０１は連続する画像であり、表示画面２６０１の右方の上端と下端とに設けられているスクロールバー２６０３、２６０４を指示することで、再生画像２６０２、２７０１を上下方向に移動することができる。
【０１１７】
データ変換テーブル記憶部２２０２は、情報取得部２２０１が保持しているマルチメディア文書を上記実施の形態１の送信データ保持部１１３に格納する情報に変換するためのデータ変換テーブルを記憶している。このデータ変換テーブルは、タグテーブル（図示せず）と、図２８に示すフォントテーブル２８０１と、図２９に示すリンク情報変換テーブル２９０１とを含んでいる。
【０１１８】
タグテーブルには、図２３等に示すＨＴＭＬで記述された文書２３０１等のタグを解釈するための情報が記録されている。その内容は、上記実施の形態１の図２、図４等の説明で既に述べているので説明を省略する。
フォントテーブル２８０１は、文書２３０１に含まれるタグ２８０２に対応付けられた文字列の表示先頭位置２８０３の座標とその文字列を表示する際のフォントサイズ２８０４とを含んでいる。これらのｘ，ｙ座標とフォントサイズとは、画素単位（ドット）で表わされている。
【０１１９】
リング情報変換テーブル２９０１は、文書２３０１等の再生時の再生制御情報であるリンク情報を生成するための変換情報を有する。変換情報２９０２は、文書２３０１の「ファイル名」を「Ｉｎｄｅｘ"ファイル名"」に変換することを示している。
変換情報２９０３は、＜Ａ＞タグ内のリンク先の「ファイル名」を「ＨｏｔＳｐｏｔ（Ｍ"ファイル名"）」に変換することを示している。ここでＭは、変換時に与えられる見出し番号である。
【０１２０】
カーソル形状記憶部２２０３は、図３０に示すような、カーソル形状テーブル３００１を記憶している。カーソル形状テーブル３００１は、見出し番号３００２とカーソル形状３００３との一覧を有する。この見出し番号３００２は、文書２３０１中の他の文書、例えば文書２４０１へのリンク関係を示す部分に文書２３０１の先頭から順番に付される番号である。カーソル形状３００３は、文書２３０１を表示画像に変換するときに、文書２３０１中のリンク関係を示す表示画像部分に付加する画像形状を示しており、カーソル形状３００３に含まれる数字は見出し番号３００２に一致している。
【０１２１】
文書一時記憶部２２０４は、情報取得部２２０１に保持されている文書のうち一の文書及び一の画像情報を記憶している。例えば、図２３に示した文書２３０１と図２５に示した画像情報２５０１とを記憶している。
制御部２２０５は、外部から再生情報の生成指示を受けると、情報取得部２２０１に保持されている一の文書を読み出し、文書一時記憶部２２０４に記憶させるとともに画像情報生成部２２０６及びリンク情報生成部２２０７を起動する。また、画像情報生成部２２０６から送信データ保持部１１３への書き込み指示を受けると、生成情報一時記憶部２２０８の画像情報記憶領域に記憶されている画像情報を読み出して表示画像情報記憶部１２３に書き込み、リンク情報記憶領域に記憶されているリンク情報を読み出してリンク情報記憶部１２５に書き込む。この際、書き込んだ画像情報とリンク情報とに同一の識別子を付すようにして、両情報が組として認識されるようにする。なお、画像情報記憶領域に２画面分以上の画像情報が記憶されているときは、各画像情報それぞれにリンク情報が組にされる。
【０１２２】
また、画像情報生成部２２０６から指定された画像情報ファイルの文書一時記憶部２２０４への取り込みを指示されると、情報取得部２２０１に保持されている当該画像情報を読み出し、文書一時記憶部２２０４に記憶させる。
画像情報生成部２２０６は、制御部２２０５に起動されると、生成情報一時記憶部２２０８に一画面分の画像情報を記憶できる画像情報記憶領域を確保し、その画像情報領域と対になるリンク情報記憶領域を確保する。
【０１２３】
また、画像情報一時記憶部２２０８に画像情報記憶領域を確保すると、データ変換テーブル記憶部２２０２に記憶されているタグテーブル（図示せず）とフォントテーブル２８０１とを読み出し、文書一時記憶部２２０４に記憶されている文書中の要素である文字列や画像情報を再生時の画像情報に変換する。
なお、この画像情報への変換については、上記実施の形態１の送信データ生成部１１２で述べたので、ここでは省略する。
また、画像情報生成部２２０６は、＜ＩＭＧ＞タグ２３０４の内容を読み込んだときは、制御部２２０５に画像情報ファイル「Ｗｅａｔｈｅｒ．ｇｉｆ」を文書一時記憶部２２０４に取り込むよう指示する。
【０１２４】
画像情報生成部２２０６は、文書一時記憶部２２０４に記憶されている＜Ａ＞タグ２３０５等を読み出したときは、リンク情報生成部２２０７にその内容（リンク先のファイル名）を通知する。リンク情報生成部２２０７からカウンタＭの値の通知を受けると、カーソル形状記憶部２２０３に記憶されているカーソル形状テーブル３００１の見出し番号３００２「Ｍ」のカーソル形状３００３を取得する。次にカーソルを配置すべき配置位置（Ｘｓｔ，Ｙｓｔ）を計算する。なお、この配置位置は、表示要素の左上端位置の座標で示されている。このｘ座標Ｘｓｔは、＜Ａ＞タグの表示要素の配置を規制するフォントテーブル２８０１の＜ＬＩ＞タグの先頭位置ｘ＝１０によって、Ｘｓｔ＝１０とされる。ｙ座標Ｙｓｔは、この＜Ａ＞タグの表示要素を表示するまでに表示された表示要素のＹ方向の画素数を加算して求められる。
【０１２５】
例えば、図２３の＜Ａ＞タグ２３０５の表示要素である文字列「大阪」の配置位置はＸｓｔ＝１０であり、Ｙｓｔ＝１０＋８０＋（２７０）＋６０＝４２０ここで、（  ）内は画像情報「Ｗｅａｔｈｅｒ．ｇｉｆ」を表示画像に変換したＹ方向の画素数である。なお、「Ｗｅａｔｈｅｒ．ｇｉｆ」の画像のサイズは、（３６０×２７０）ドットである。即ち、座標（１０，４２０）の位置に配置される。
【０１２６】
画像情報生成部２２０６は、配置位置（Ｘｓｔ，Ｙｓｔ）が求まると、取得したカーソル形状３００３を生成情報一時記憶部２２０８の画像情報記憶領域の配置位置（Ｘｓｔ，Ｙｓｔ）の先頭に書き込み、続けて表示要素の文字列を書き込む。このようにして、図２３に示した文書２３０１を画像情報に変換すると、図３１に示すように、画像情報記憶領域３１０１に一画面分の画像情報３１０２が得られる。
【０１２７】
また、画像情報生成部２２０６は、図３１に示した一画面分の画像情報３１０２を画像情報記憶領域３１０１に書き込んだときは、次に書き込むべき領域がないので、生成情報一時記憶部２２０８の別の領域に新たに画像情報記憶領域３２０１（図３２参照）だけを確保する。続いて、未解析の文書２３０１を解析して、この画像情報記憶領域３２０１に画像情報を書き込む。未解析の文書２３０１がなくなれば、制御部２２０５に書き込みを指示する。
【０１２８】
リンク情報生成部２２０７は、制御部２２０５に起動されると、データ変換テーブル記憶部２２０２のリンク情報変換テーブル２９０１に従い、文書一時記憶部２２０４に記憶されている文書の「ファイル名」例えば「Ｒｅｐｏｒｔ．ｈｔｍｌ」を読み出して、「Ｉｎｄｅｘ（"Ｒｅｐｏｒｔ．ｈｔｍｌ"）」に変換して、生成情報一時記憶部２２０８に用意されたリンク情報記憶領域に書き込む。
【０１２９】
また、文書の「ファイル名」を「Ｉｎｄｅｘ（ファイル名）」に変換したときには、見出し番号３００２となるカウンタＭに「１」を設定する。画像情報生成部２２０６から＜Ａ＞タグ２３０５等の内容の通知を受けると、カウンタＭの値を画像情報生成部２２０６に通知し、併せてリンク情報変換テーブル２９０１の変換情報２９０３に従いリンク情報を生成し、生成情報一時記憶部２２０８のリンク情報記憶領域に書き込み、カウンタＭに「１」を加える。なお、リンク情報中のファイル名の前のＭには、見出し番号３００２であるカウンタＭの値が与えられる。
【０１３０】
生成情報一時記憶部２２０８は、画像情報生成部２２０６とリンク情報生成部２２０７で生成された画像情報とリンク情報とを一時記憶している。図３１、図３２は、図２３に示したＨＴＭＬで記述された文書２３０１から生成された２画面分の画像情報３１０２、３２０２を示し、図３３は、文書２３０１から生成された画像情報３１０２、３２０２の両方に共通するリンク情報３３０１を示している。
【０１３１】
次に、本実施の形態の動作を図３４のフローチャートを用いて説明する。
先ず、制御部２２０５が外部から画像生成の指示を受けると、画像情報生成部２２０６は、生成情報一時記憶部２２０８に表示画面に対応する画像情報記憶領域及びリンク情報記憶領域を確保する（Ｓ３４０２）。
【０１３２】
次に、リンク情報生成部２２０７及び画像情報生成部２２０６は、文書一時記憶部２２０４に記憶されている未解析のＨＴＭＬ文書があるときは（Ｓ３４０４）、ＨＴＭＬ文書を解析する（Ｓ３４０６）。未解析ＨＴＭＬ文書がないときは（Ｓ３４０４）、制御部２２０５は、生成情報一時記憶部２２０８に記憶されている画像情報とリンク情報とを読み出し、組にして送信データ保持部１１３に書き込み、処理を終了する。
【０１３３】
画像情報生成部２２０６は、解析した文書がリンク情報（＜Ａ＞タグを含む制御情報）であるか否かを判断し（Ｓ３４０８）、リンク情報であれば、カーソル形状記憶部２２０３から所定のカーソル形状を取得する（Ｓ３４１０）。リンク情報でないときは、カーソル形状を取得することなくＳ３４１２に移る。Ｓ３４１２において、画像情報生成部２２０６は、文書に含まれる表示要素の配置位置を計算し（Ｓ３４１２）、画像情報を配置する。この際、リンク情報の表示要素であれば、その表示要素の配置位置に取得したカーソル形状を併せて書き込み、リンク情報生成部２２０７は、リンク情報記憶領域にリンク情報を書き込む（Ｓ３４１４）。次に、画像情報生成部２２０６は、画像情報記憶領域に新たな表示要素を書き込む領域が有るか否かを判定し（Ｓ３４１６）、有るときはＳ３４０４に戻り、ないときは、生成情報一時記憶部２２０８に画像情報記憶領域だけを新たに確保して（Ｓ３４１８）、Ｓ３４０４に戻る。
（実施の形態３）
図３５は、本発明に係るデータ通信システムのデータ変換装置の実施の形態３の構成図である。このデータ変換装置は、情報取得部２２０１と、データ変換テーブル記憶部２２０２と、カーソル形状記憶部２２０３と、出力装置情報記憶部３５０１と、文書一時記憶部２２０４と、制御部２２０５と、画像情報生成部３５０２と、リンク情報生成部３５０３と、生成情報一時記憶部２２０８とを備える。上記実施の形態２の構成と同一の構成部分には同一の符号を付しその説明を省略し、本実施の形態固有の構成部分について説明する。
【０１３４】
なお、図３６は、実施の形態１で上述した信号受信部１５６に信号を送信するリモートコントローラ（以下「リモコン」という）３６０１を示す。このリモコン３６０１は、カーソル指定のために「１」キーから「６」キーまでの６個のキーが使用できる。
出力装置情報記憶部３５０１は、一画面内に表示できるカーソル（リンク先のファイルを指定するための表示）の最大数Ｋを予め記憶している。このカーソルの最大数Ｋは、上記リモコン３６０１で６個のキーが使用できることから例えば「６」である。
【０１３５】
制御部２２０５は、実施の形態２の機能に加えて、表示画像情報記憶部１２３とリンク情報記憶部１２５に画像情報とリンク情報とを書き込んだときには、画像情報生成部３５０２とリンク情報生成部３５０３とに書き込み終了を通知する。
画像情報生成部３５０２は、実施の形態２の機能に加えて、文書２３０１に含まれている＜Ａ＞タグの数をリンク情報生成部３５０３から通知されるカウンタＭの値によって数える。図２３に示した文書２３０１の画像情報「Ｗｅａｔｈｅｒ．ｇｉｆ」を表示画像に変換したときのサイズが（３６０×２１０）ドットであるときには、図３７に示すように、一画面分の画像情報３７０１が得られる。一画面分の画像情報を生成すると制御部２２０５に送信データ保持部１１３への書き込み指示を通知する。
【０１３６】
画像情報生成部３５０２は、リンク情報生成部３５０３から通知されるカウンタＭの値が出力装置情報記憶部３５０１に記憶されているＫの値に一致するか否かを判定し、Ｋの値となったとき、そのカーソル形状と表示要素とを生成情報一時記憶部２２０８の画像情報記憶領域に書き込んだ後、制御部２２０５に送信データ保持部１１３への書き込み指示を通知する。このようにして、図３８に示すように、リンク情報の数が出力装置情報記憶部３５０１に記憶されている最大数Ｋを超えない画像情報３８０１が生成される。
【０１３７】
更に、文書２３０１の表示要素を画像化すると、図３９に示すように一の画像情報３９０１が生成される。
リンク情報生成部３５０３は、実施の形態２の機能に加えて、制御部２２０５に起動されると、カウンタＮに「０」を設定する。制御部２２０５から書き込み終了の通知を受けると、カウンタＮに「１」を加える。カウンタＮの値が「０」以外のときは、リンク情報「Ｉｎｄｅｘ（"ＲｅｐｏｒｔＮ．ｈｔｍｌ"）」に変換する。また、カウンタＮの値を設定、または変更したときには、カウンタＭに「１」を設定する。
【０１３８】
このようにして、画像情報３７０１の組になるリンク情報３７０２、画像情報３８０１の組になるリンク情報３８０２、画像情報３９０１の組になるリンク情報３９０２をそれぞれ生成する。
信号受信部１５６は、通常のテレビジョン放送を受信している場合に、仮に表示部１５４のチャネル「１２」がインターネット放送とすると、「１２」キー３６０２が押下されると、図３７に示した生成情報一時記憶部２２０８に記憶されている画像情報３７０１と同一の画像が表示部１５４に表示される。ここで、リモコンの「１」キー３６０３が押下されると、ホットスポット「１」の大阪が選択されたことになり、文書２４０１で示される「大阪の天気」のページにジャンプする。なお、この画面からテレビジョン放送のチャネル切替えに復帰するためには、「ＣＨ」キー３６０４を押下してから「１」〜「１１」キーを押下する。
【０１３９】
次に、本実施の形態固有の動作を図４０のフローチャートを用いて説明する。画像情報生成部３５０２は、生成情報一時記憶部２２０８に表示画面に対応する画像情報記憶領域及びリンク情報記憶領域を確保する（Ｓ４００２）。次に、画像情報生成部３５０２は、文書一時記憶部２２０４に記憶されている未解析のＨＴＭＬ文書があるときには（Ｓ４００４）、ＨＴＭＬ文書を解析する（Ｓ４００６）。未解析ＨＴＭＬ文書がないときは（Ｓ４００４）、制御部２２０５は、生成情報一時記憶部２２０８に記憶されている画像情報とリンク情報とを読み出して、組にして送信データ保持部１１３に書き込み、処理を終了する。
【０１４０】
Ｓ４００６で解析したＨＴＭＬ文書を画像化、再生制御情報化する（Ｓ４００８）。画像情報生成部３５０２は、１出力画面内の＜Ａ＞タグの数、即ちリンク情報生成部３５０３から通知されるカウンタＭの値が出力装置情報記憶部３５０１に記憶されている最大数Ｋに一致するか否かを判定し（Ｓ４０１０）、一致するときは、Ｓ４０１４において、制御部２２０５に生成情報一時記憶部２２０８に記憶されている情報を送信データ保持部１１３に書き込むべき指示を通知し、書き込み終了の通知を制御部２２０５から受けて、新たな画像情報記憶領域とリンク情報記憶領域を設定し、Ｓ４０１６に進む。一致しないときは、画像情報記憶領域に生成した画像情報を書き込むべき領域があるか否かを判定し（Ｓ４０１２）、領域があれば、Ｓ４０１６において生成した画像情報を書き込み、リンク情報生成部３５０３はリンク情報を書き込む。次に、Ｓ４００４に戻る。
【０１４１】
以上のように、本実施の形態によれば、表示部１５４に外部のリモコン３６０１で容易にホットスポットを指定して、所望のページの情報にジャンプして見ることが可能となる画像情報とリンク情報とを生成することができる。
なお、本実施の形態では、出力装置情報記憶部３５０１が記憶するカーソルの最大数Ｋをリモコン３６０１でカーソル指定ができる数としたけれども、このカーソルの最大数Ｋは、表示部１５４の表示画面の解像度を考慮して、リンク先選択の表示画面が見やすいカーソル指定ができる数としてもよい。
（実施の形態４）
このデータ変換装置は、上記実施の形態３の構成と略同等である。ただし、この装置の画像情報生成部は、上記実施の形態３の画像情報生成部３５０２の機能に加えて、＜ＵＬ＞タグ内の＜Ａ＞タグの表示文字列の配置を考慮する機能が付加されている。
【０１４２】
以下、本実施の形態固有の構成について説明する。
画像情報生成部３５０２は、図２３に示すような文書２３０１の解析をする際、＜ＵＬ＞タグ２３０６と、＜／ＵＬ＞タグ２３０７とで囲まれる＜Ａ＞タグ２３０５等の表示文字列をまとめて再生画像情報に変換する。変換した表示文字列、例えば「大阪」、「東京」、「名古屋」、「仙台」、「広島」、「福岡」、「札幌」が画像情報記憶領域に全て収容されるか否かを判定する。全て収容できるときには、上記実施の形態３と同様に＜ＵＬ＞タグ２３０６で始まる最初の＜Ａ＞タグ２３０５の表示文字列から順番に再生画像情報化の処理を行なう。全ての表示文字列が収容できないと判定したときは、新しい画像情報記憶領域を設けると、＜ＵＬ＞タグ内の全ての＜Ａ＞タグの表示文字列が該領域に収容できるか否かを判定し、できないと判定したときには、上記実施の形態３と同様の処理をする。該領域に収容できると判定したときには、＜ＵＬ＞タグ内の＜Ａ＞タグの数が最大数Ｋを超えるか否かを判定し、超えるときには、上記実施の形態３と同様の処理をする。超えないと判定したときには、制御部２２０５に書き込み指示を与え、制御部２２０５から書き込み終了の通知を受けると、生成情報一時記憶部２２０８に画像情報記憶領域とリンク情報記憶領域とを設定して、上記第３の実施の形態と同様の処理をする。
【０１４３】
上述した「大阪」から「札幌」までの表示文字列は、一の画像情報記憶領域内に収容することはできないので、画像情報３７０１と図４１に示すような画像情報４１０１とに分割される。しかし、＜ＵＬ＞タグ２３０８と＜／ＵＬ＞タグ２３０９とで囲まれる表示文字列「北半球」、「南半球」等は分割されることなく、図４２に示す画像情報４２０１となる。なお、画像情報４１０１、４２０１の組として再生制御情報４１０２、４２０２がそれぞれリンク情報生成部３５０３によって生成される。
【０１４４】
次に、本実施の形態の固有の動作について図４３のフローチャートを用いて説明する。上記実施の形態３の図４０に示したＳ４００８の後に、画像情報生成部３５０２は、＜ＵＬ＞タグと＜／ＵＬ＞タグとで囲まれた＜Ａ＞タグの表示文字列のサイズを計算して画像情報記憶領域に収容（書き込む余白がある）できるか否かを判定し（Ｓ４３０２）、あるときにはＳ４０１０に移り、ないときには、新たな画像情報記憶領域を設けたならば、全ての表示文字列（Ｓ４３０２で計算したサイズの表示文字列）が該領域に収容できるか否かを判定する（Ｓ４３０４）。収容できなければＳ４０１０に移り、収容できるときは、この表示文字列中の＜Ａ＞タグの数が出力装置情報記憶部３５０１に記憶されている最大数Ｋを超えるか否かを判定する（Ｓ４３０６）。超えるときはＳ４０１０に移り、超えないときは、既に書き込まれている生成情報一時記憶部２２０８の記憶内容の書き込み指示を制御部２２０５に通知する。制御部２２０５から書き込み終了の通知を受けると、生成情報一時記憶部２２０８に新たに画像情報記憶領域とリンク情報記憶領域とを確保して（Ｓ４３０８）、Ｓ４０１０に移る。
【０１４５】
以上のように本実施の形態によれば関連する項目を同一の画像情報として一画面に表示することができる。
【０１４６】
【発明の効果】
以上説明したように、本発明のデータ変換装置は、データ送信装置から複数のデータ受信装置への一方向通信を用いて擬似的な双方向通信を可能とするデータ通信システムの前記データ送信装置に用いられるデータ変換装置であって、原文書情報のうちの一部又は全ての文字情報又は画像情報には他の原文書情報をリンク先とするリンク先情報が埋め込まれており、少なくとも一の文字情報と少なくとも一の画像情報とからなる複数の原文書情報を記憶している原文書情報記憶手段と、番号が付された付加形状の一覧を予め記憶している付加形状記憶手段と、前記原文書情報記憶手段に記憶されている原文書情報に含まれる前記文字情報及び画像情報を順に読み出し、その各文字情報又は各画像情報から生成されたビットマップ情報である再生画像要素を生成する再生画像要素生成手段と、前記再生画像要素生成手段で生成された再生画像要素から前記データ受信装置で再生される一画面に相当する再生画像を生成する再生画像生成手段と、他の原文書情報をリンク先とするリンク先情報が埋め込まれた文字情報又は画像情報から生成された前記再生画像中の再生画像要素に該再生画像での再生画像要素の出現順に前記付加形状記憶手段に記憶されている付加形状を順に読み出して前記再生画像上の前記再生画像要素に配置する付加形状配置手段と、前記文字情報又は画像情報のリンク先である他の原文書情報を示すリンク先情報を前記付加形状に付された番号に対応した再生画像要素のリンク先の他の再生画像、すなわち他の原文書情報から前記再生画像生成手段で生成される再生画像を示す再生リンク先情報に変換する再生リンク先情報変換手段とを備えている。
【０１４７】
このような構成によって、他の再生画像にリンク付けられた再生画像要素が付加形状によって、視覚的に強調されるので、利用者は、再生画像間のジャンプ操作の容易な再生画像を見ることができる。更に、再生画像の再生画像要素に付加された付加形状に番号が付されているので、この番号によって、例えばテレビの付属のリモコンによっても再生画像間のジャンプ操作が可能な再生画像となる。
【０１４８】
また、データ変換装置の再生画像要素生成手段は、前記原文書情報に含まれる各文字情報と各画像情報との再生画像要素の画面の水平方向の先頭配置位置と、各文字情報の文字サイズとを記憶している変換テーブル記憶部と、前記変換テーブル記憶部に記憶されている文字サイズに従い各文字情報から再生画像要素を生成し、各画像情報から再生画像要素を生成する再生要素生成部とを備えている。
【０１４９】
また、データ変換装置の再生画像生成手段は、更に、前記変換テーブル記憶部に前記原文書情報に含まれる各文字情報と各画像情報との再生画像要素の画面の水平方向の先頭配置位置を記憶しており、前記変換テーブル記憶部に記憶されている各再生画像要素の先頭配置位置を読み出して、各再生画像要素の前記再生画像における配置位置を計算する配置位置計算部と、前記配置位置計算部で計算された各再生画像要素の配置位置に従い、前記再生画像要素を配置して一画面に相当する再生画像を生成する再生画像生成部とを備えている。
【０１５０】
また、データ変換装置の再生リンク情報変換手段は、前記再生画像生成部で一の原文書情報から分割された再生画像が複数生成されたとき、各再生画像ごとに再生リンク先情報を組にして生成する組再生リンク先情報生成部を備えている。このような構成によって、表示画面に対応した一画面ごとの再生画像と、再生画像を切り替えるための再生リンク先情報とを組にして持っているので、スクロールのできない例えばテレビ画面でも見やすい再生画像が得られる。
【０１５１】
また、データ変換装置において、付加形状記憶手段は、前記再生画像に配置する付加形状の最大数を記憶している最大数記憶部を備え、前記再生画像生成手段は、更に前記一の再生画像に配置されるべき付加形状の数が前記最大数を超えるか否かを判定する最大数判定部と、前記最大数判定部で超えると判断されたときに、分割再生画像を生成する前記再生画像生成部で生成される一画面に相当する再生画像に前記最大数以下の付加形状が配置されるように再生画像の分割を指示する再生画像分割指示部とを有し、前記再生画像生成部は、分割された再生画像である分割再生画像を生成することとしている。
【０１５２】
また、データ変換装置の前記再生リンク先情報変換手段は、更に、前記再生画像生成部が分割再生画像を生成したとき、分割再生画像ごとに再生リンク先情報群を生成する分割再生リンク先情報生成部を備えている。
このような構成によって、他の再生画像にリンク付けられている再生画像要素の一つの表示画面内での数を、切替え操作の容易な数に限定しているので、例えばテレビの付属のリモコンによっても容易に再生画像間のジャンプ操作が可能な再生画像となる。
【０１５３】
また、前記再生画像生成部は、再生画像要素が同一カテゴリの要素であるとき、再生画像要素を一の再生画像内に収容して生成する構成としている。
また、原文書情報に含まれる前記文字情報は、ＨＴＭＬ言語で記述され、前記再生画像生成部は、前記同一カテゴリの要素であるか否かをタグの記述内容から判定する構成としている。
【０１５４】
このような構成によって、文書の一まとまりの要素が一つの再生画像となるので、表示切替えが容易となる。
また、データ変換装置は、更に、ＨＴＭＬ(Hyper Text Markup Language) 言語で記述された文字情報及びそれに付随した画像情報を含む原文書情報を通信回線を介して取得する情報取得手段と、前記情報取得手段で取得された原文書情報を前記原文書情報記憶手段に書き込む情報書込手段とを備えている。
【０１５５】
さらに、データ変換装置は、更に、前記付加形状配置手段で配置された付加形状を加えられた複数の前記再生画像と再生画像が分割されたときの再生画像とをいう表示画像に識別子を付与して記憶している第１記憶手段と、前記再生リンク先情報変換手段で変換された前記表示画像に対応して同一の識別子が付されている再生リンク先情報群を前記表示画像ごとに記憶している第２記憶手段と、前記第１記憶手段で記憶されている前記表示画像の所定数の表示画像を前記第２記憶手段に記憶されている対応する再生リンク先情報群とともに繰り返し送信する放送手段とを備えている。
【０１５６】
このような構成によって、利用者は、データ送信装置からの一方向通信を用いて擬似的な双方向通信が可能となる。
【図面の簡単な説明】
【図１】本発明に係るデータ通信システムの実施の形態１の構成を示すブロック図である。
【図２】上記実施の形態の取得リスト記憶部に格納されている取得リストの一例を示す説明図である。
【図３】上記実施の形態のＷＷＷホームページの第１ページの一例を記述するＨＴＭＬ文書『Ｒｅｐｏｒｔ．ｈｔｍｌ』を示す説明図である。
【図４】上記実施の形態のＷＷＷホームページの第１ページに表示される画像の一例である画像情報『Ｗｅａｔｈｅｒ．ｇｉｆ』を示す説明図である。
【図５】上記実施の形態のＷＷＷホームページの第２ページの一例を記述するＨＴＭＬ文書『Ｔｏｋｙｏ．ｈｔｍｌ』を示す説明図である。
【図６】上記実施の形態のＷＷＷホームページの第３ページの一例を記述するＨＴＭＬ文書『Ｏｓａｋａ．ｈｔｍｌ』を示す説明図である。
【図７】上記実施の形態のデータ変換テーブル記憶部に格納されているリンク情報テーブルの一例を示す説明図である。
【図８】上記実施の形態のＨＴＭＬ文書と音声情報『Ｗｅａｔｈｅｒ．ａｕ』と画像情報とから生成されたＷＷＷホームページの第１ページの送信データを示す説明図である。
【図９】上記実施の形態のＨＴＭＬ文書から生成されたＷＷＷホームページの第２ページの送信データを示す説明図である。
【図１０】上記実施の形態のＨＴＭＬ文書６０１から生成されたＷＷＷホームページの第３ページの送信データを示す説明図である。
【図１１】上記実施の形態の送信部による送信データの送信方法を示す説明図である。
【図１２】上記実施の形態の他の多重化部による衛星デジタル放送を利用する場合に送信される多重化ストリームの説明図である。
【図１３】（ａ）  上記実施の形態のデータ送信装置全体の概略的処理手順を示すフローチャートである。（ｂ）  上記実施の形態の情報取得部による情報取得処理の手順の一例を示すフローチャートである。
【図１４】上記実施の形態の送信データ生成部による送信データ生成処理の手順の一例を示すフローチャートである。
【図１５】上記実施の形態の図１４に示したＳ１３１２における処理手順の一部具体例を示すフローチャートである。
【図１６】上記実施の形態の制御部が、カーソル図形の表示位置を制御するために作成するカーソル図形対応表の一例を示す説明図である。
【図１７】上記実施の形態の制御部が保持している図形情報の一例を示す説明図である。
【図１８】図８に示した送信データに基づいて表示部に表示される初期画面の表示画像を示す説明図である。
【図１９】上記実施の形態の図９に示した送信データに基づいて表示部に表示される初期画面の表示画像を示す説明図である。
【図２０】上記実施の形態の図１０に示した送信データに基づいて表示部に表示される初期画面の表示画像を示す説明図である。
【図２１】上記実施の形態の制御部の表示制御処理の手順の一例を示すフローチャートである。
【図２２】本発明に係るデータ変換装置の実施の形態２の構成図である。
【図２３】上記実施の形態の情報取得部に保持されている文書の一例を示す図である。
【図２４】上記実施の形態の情報取得部に保持されている文書の一例を示す図である。
【図２５】上記実施の形態の情報取得部に保持されている画像情報の一例の説明図である。
【図２６】図２３に示した文書を従来からのＷＷＷのブラウザで表示画面に表示した再生画像を示す図である。
【図２７】図２３に示した文書を従来からのＷＷＷのブラウザで表示画面に表示した再生画像を示す図である。
【図２８】上記実施の形態のデータ変換テーブル記憶部に記憶されているフォントテーブルの一例を示す図である。
【図２９】上記実施の形態のデータ変換テーブル記憶部に記憶されているリンク情報変換テーブルの一例を示す図である。
【図３０】上記実施の形態のカーソル形状記憶部に記憶されているカーソル形状の一覧の一例を示す図である。
【図３１】上記実施の形態の生成情報一時記憶部に記憶されている変換された画像情報の一例を示す図である。
【図３２】上記実施の形態の生成情報一時記憶部に記憶されている変換された画像情報の一例を示す図である。
【図３３】上記実施の形態の生成情報一時記憶部に記憶されているリンク情報の一例を示す図である。
【図３４】上記実施の形態の動作を説明するフローチャートである。
【図３５】本発明に係るデータ変換装置の実施の形態３の構成図である。
【図３６】上記実施の形態の信号受信部に信号を送信するリモコンの一例を示す図である。
【図３７】上記実施の形態の生成情報一時記憶部に記憶されている再生画像情報とリンク情報との一例を示す図である。
【図３８】上記実施の形態の生成情報一時記憶部に記憶されている再生画像情報とリンク情報との一例を示す図である。
【図３９】上記実施の形態の生成情報一時記憶部に記憶されている再生画像情報とリンク情報との一例を示す図である。
【図４０】上記実施の形態の固有の動作を説明するフローチャートである。
【図４１】本発明に係る実施の形態４の生成情報一時記憶部に記憶されている画像情報とリンク情報の一例を示す図である。
【図４２】本発明に係る実施の形態４の生成情報一時記憶部に記憶されている画像情報とリンク情報の一例を示す図である。
【図４３】本実施の形態の固有の動作を示すフローチャートである。
【符号の説明】
１００  データ通信システム
１１０  データ送信装置
１１１  情報取得部
１１２  送信データ生成部
１１３  送信データ保持部
１１４  送信データ読み出し部
１１５  多重化部
１１６  送信部
１２１  取得リスト記憶部
１２２  データ変換テーブル記憶部
１２３  表示画像情報記憶部
１２４  音声情報記憶部
１２５  リンク情報記憶部
１５０  データ受信装置
１５１  受信分離部
１５２  受信データ保持部
１５３  再生部
１５４  表示部
１５５  制御部
１５６  信号受信部
１５７  音声出力部
２２０１  情報取得部
２２０２  データ変換テーブル記憶部
２２０３  カーソル形状記憶部
２２０４  文書一時記憶部
２２０５  制御部
２２０６  画像情報生成部
２２０７  リンク情報生成部
２２０８  生成情報一時記憶部
２８０１  フォントテーブル
２９０１  リンク情報変換テーブル
３００１  カーソル形状テーブル
３５０１  出力装置情報記憶部
３５０２  画像情報生成部
３５０３  リンク情報生成部
３６０１  リモートコントローラ
【図１】
0003914056.tif 000002
【図２】
0003914056.tif 000003
【図３】
0003914056.tif 000004
【図４】
0003914056.tif 000005
【図５】
0003914056.tif 000006
【図６】
0003914056.tif 000007
【図７】
0003914056.tif 000008
【図８】
0003914056.tif 000009
【図９】
0003914056.tif 000010
【図１０】
0003914056.tif 000011
【図１１】
0003914056.tif 000012
【図１２】
0003914056.tif 000013
【図１３】
0003914056.tif 000014
【図１４】
0003914056.tif 000015
【図１５】
0003914056.tif 000016
【図１６】
0003914056.tif 000017
【図１７】
0003914056.tif 000018
【図１８】
0003914056.tif 000019
【図１９】
0003914056.tif 000020
【図２０】
0003914056.tif 000021
【図２１】
0003914056.tif 000022
【図２２】
0003914056.tif 000023
【図２３】
0003914056.tif 000024
【図２４】
0003914056.tif 000025
【図２５】
0003914056.tif 000026
【図２６】
0003914056.tif 000027
【図２７】
0003914056.tif 000028
【図２８】
0003914056.tif 000029
【図２９】
0003914056.tif 000030
【図３０】
0003914056.tif 000031
【図３１】
0003914056.tif 000032
【図３２】
0003914056.tif 000033
【図３３】
0003914056.tif 000034
【図３４】
0003914056.tif 000035
【図３５】
0003914056.tif 000036
【図３６】
0003914056.tif 000037
【図３７】
0003914056.tif 000038
【図３８】
0003914056.tif 000039
【図３９】
0003914056.tif 000040
【図４０】
0003914056.tif 000041
【図４１】
0003914056.tif 000042
【図４２】
0003914056.tif 000043
【図４３】
0003914056.tif 000044